(57)【特許請求の範囲】
【請求項１】
下記を具備する、ワイヤレス通信システムにおいて使用される方法：
ハイブリッドフェムトアクセスポイントからパイロットを検出すること、前記ハイブリッドフェムトアクセスポイントは、第１の無線接続技術（ＲＡＴ）および第２のＲＡＴを具備する複数のＲＡＴを実装し、前記パイロットは、前記第１のＲＡＴと関連付けられている；
前記検出されたパイロットに基づいて前記第１のＲＡＴと関連付けられた第１のチャネル上で前記ハイブリッドフェムトアクセスポイントに登録すること；
システム選択データベースを分析して、前記ハイブリッドフェムトアクセスポイントの前記第２のＲＡＴと関連付けられた第２のチャネルを識別すること；および
前記識別された第２のチャネルへハンドオーバーすることを選択すること。
【請求項２】
検出することは、マクロ基地局と関連付けられた初期のチャネル上に留まった状態で前記パイロットを検出することを具備する、請求項１に記載の方法。
【請求項３】
第１のＲＡＴは、１ｘを具備し、前記第１のチャネルは、１ｘチャネルを具備する、請求項１に記載の方法。
【請求項４】
前記第２のＲＡＴは、高レートパケットデータ（ＨＲＰＤ）を具備し、前記第２のチャネルは、ＨＲＰＤチャネルを具備する、請求項３に記載の方法。
【請求項５】
前記ハイブリッドフェムトアクセスポイントは、共同チャネルＨＲＰＤフェムトアクセスポイントおよび専用チャネルＨＲＰＤフェムトアクセスポイントのうちの１つを具備する、請求項４に記載の方法。
【請求項６】
前記システム選択データベースは、複数の優先ローミングリスト（ＰＲＬ）レコードを具備する、請求項１に記載の方法。
【請求項７】
前記複数のＰＲＬレコードのうちの少なくとも１つは、前記ハイブリッドフェムトアクセスポイントに関する専用のシステム識別子（ＳＩＤ）を具備する、請求項６に記載の方法。
【請求項８】
前記複数のＰＲＬレコードのうちの少なくとも１つは、前記ハイブリッドフェムトアクセスポイントに関する割り当てられたネットワーク識別子（ＮＩＤ）を具備する、請求項６に記載の方法。
【請求項９】
前記システム選択データベースは、前記ハイブリッドフェムトアクセスポイントに関する割り当てられた登録ゾーンを具備する、請求項１に記載の方法。
【請求項１０】
前記システム選択データベースは、ＡＴ支援された情報およびネットワークブロードキャストされた情報のうちの少なくとも１つを具備する、請求項１に記載の方法。
【請求項１１】
請求項１に記載の方法を実行するように構成されたプロセッサと、
前記プロセッサに接続されたメモリと、を具備する、電子デバイス。
【請求項１２】
下記を具備する、ワイヤレス通信システムにおいて動作可能な装置：
ハイブリッドフェムトアクセスポイントからパイロットを検出するための手段、前記ハイブリッドフェムトアクセスポイントは、第１の無線アクセス技術（ＲＡＴ）および第２のＲＡＴを具備する複数のＲＡＴを実装し、前記パイロットは、前記第１のＲＡＴと関連付けられている；
前記検出されたパイロットに基づいて前記第１のＲＡＴと関連付けられた第１のチャネル上で前記ハイブリッドフェムトアクセスポイントに登録するための手段；
システム選択データベースを分析して、前記ハイブリッドフェムトアクセスポイントの前記第２のＲＡＴと関連付けられた第２のチャネルを識別するための手段；および
前記識別された第２のチャネルへハンドオーバーすることを選択するための手段。
【請求項１３】
前記装置は、ハイブリッドモードおよび同時ハイブリッドデュアル受信機（ＳＨＤＲ）モードのうちの１つで動作する、請求項１２に記載の装置。
【請求項１４】
検出するための前記手段は、マクロ基地局と関連付けられた初期のチャネル上に留まった状態で前記パイロットを検出するための手段を具備する、請求項１２に記載の装置。
【請求項１５】
第１のＲＡＴは、１ｘを具備し、前記第１のチャネルは、１ｘチャネルを具備する、請求項１２に記載の装置。
【請求項１６】
前記第２のＲＡＴは、高レートパケットデータ（ＨＲＰＤ）を具備し、前記第２のチャネルは、ＨＲＰＤチャネルを具備する、請求項１５に記載の装置。
【請求項１７】
前記ハイブリッドフェムトアクセスポイントは、共同チャネルＨＲＰＤフェムトアクセスポイントおよび専用チャネルＨＲＰＤフェムトアクセスポイントのうちの１つを具備する、請求項１６に記載の装置。
【請求項１８】
前記システム選択データベースは、複数の優先ローミングリスト（ＰＲＬ）レコードを具備する、請求項１２に記載の装置。
【請求項１９】
前記複数のＰＲＬレコードのうちの少なくとも１つは、前記ハイブリッドフェムトアクセスポイントに関する専用のシステム識別子（ＳＩＤ）を具備する、請求項１８に記載の装置。
【請求項２０】
前記複数のＰＲＬレコードのうちの少なくとも１つは、前記ハイブリッドフェムトアクセスポイントに関する割り当てられたネットワーク識別子（ＮＩＤ）を具備する、請求項１８に記載の装置。
【請求項２１】
前記システム選択データベースは、前記ハイブリッドフェムトアクセスポイントに関する割り当てられた登録ゾーンを具備する、請求項１２に記載の装置。
【請求項２２】
前記システム選択データベースは、ＡＴ支援された情報およびネットワークブロードキャストされた情報のうちの少なくとも１つを具備する、請求項１２に記載の装置。
【請求項２３】
機械によって実行されたときに、下記を含む複数のオペレーションを前記機械に実行させる複数の命令を具備する、コンピュータプログラム：
ハイブリッドフェムトアクセスポイントからパイロットを検出すること、前記ハイブリッドフェムトアクセスポイントは、第１の無線接続技術（ＲＡＴ）および第２のＲＡＴを具備する複数のＲＡＴを実装し、前記パイロットは、前記第１のＲＡＴと関連付けられている；
前記検出されたパイロットに基づいて前記第１のＲＡＴと関連付けられた第１のチャネル上で前記ハイブリッドフェムトアクセスポイントに登録すること；
システム選択データベースを分析して、前記ハイブリッドフェムトアクセスポイントの前記第２のＲＡＴと関連付けられた第２のチャネルを識別すること；および
前記識別された第２のチャネルへハンドオーバーすることを選択すること。
【請求項２４】
検出することは、マクロ基地局と関連付けられた初期のチャネル上に留まった状態で前記パイロットを検出することを具備する、請求項２３に記載のコンピュータプログラム。
【請求項２５】
第１のＲＡＴは、１ｘを具備し、前記第１のチャネルは、１ｘチャネルを具備する、請求項２３に記載のコンピュータプログラム。
【請求項２６】
前記第２のＲＡＴは、高レートパケットデータ（ＨＲＰＤ）を具備し、前記第２のチャネルは、ＨＲＰＤチャネルを具備する、請求項２５に記載のコンピュータプログラム。
【請求項２７】
前記ハイブリッドフェムトアクセスポイントは、共同チャネルＨＲＰＤフェムトアクセスポイントおよび専用チャネルＨＲＰＤフェムトアクセスポイントのうちの１つを具備する、請求項２６に記載のコンピュータプログラム。
【請求項２８】
前記システム選択データベースは、複数の優先ローミングリスト（ＰＲＬ）レコードを具備する、請求項２３に記載のコンピュータプログラム。
【請求項２９】
前記複数のＰＲＬレコードのうちの少なくとも１つは、前記ハイブリッドフェムトアクセスポイントに関する専用のシステム識別子（ＳＩＤ）を具備する、請求項２８に記載のコンピュータプログラム。
【請求項３０】
前記複数のＰＲＬレコードのうちの少なくとも１つは、前記ハイブリッドフェムトアクセスポイントに関する割り当てられたネットワーク識別子（ＮＩＤ）を具備する、請求項２８に記載のコンピュータプログラム。
【請求項３１】
前記システム選択データベースは、前記ハイブリッドフェムトアクセスポイントに関する割り当てられた登録ゾーンを具備する、請求項２３に記載のコンピュータプログラム。
【請求項３２】
前記システム選択データベースは、ＡＴ支援された情報およびネットワークブロードキャストされた情報のうちの少なくとも１つを具備する、請求項２３に記載のコンピュータプログラム。
【請求項３３】
下記を具備する、ワイヤレス通信システムにおいて動作可能な装置：
下記を実行するように構成されたプロセッサ：ハイブリッドフェムトアクセスポイントからパイロットを検出する、前記ハイブリッドフェムトアクセスポイントは、第１の無線接続技術（ＲＡＴ）および第２のＲＡＴを具備する複数のＲＡＴを実装し、前記パイロットは、前記第１のＲＡＴと関連付けられている；前記検出されたパイロットに基づいて前記第１のＲＡＴと関連付けられた第１のチャネル上で前記ハイブリッドアクセスポイントに登録する；システム選択データベースを分析して、前記ハイブリッドフェムトアクセスポイントの前記第２のＲＡＴと関連付けられた第２のチャネルを識別する；および、前記識別された第２のチャネルへハンドオーバーすることを選択する；ならびに
データを記憶するために前記プロセッサに結合されたメモリ。
【請求項３４】
前記装置は、ハイブリッドモードおよび同時ハイブリッドデュアル受信機（ＳＨＤＲ）モードのうちの１つで動作する、請求項３３に記載の装置。
【請求項３５】
前記プロセッサは、マクロ基地局と関連付けられた初期のチャネル上に留まった状態で前記パイロットを検出する、請求項３３に記載の装置。
【請求項３６】
第１のＲＡＴは、１ｘを具備し、前記第１のチャネルは、１ｘチャネルを具備する、請求項３３に記載の装置。
【請求項３７】
前記第２のＲＡＴは、高レートパケットデータ（ＨＲＰＤ）を具備し、前記第２のチャネルは、ＨＲＰＤチャネルを具備する、請求項３６に記載の装置。
【請求項３８】
前記ハイブリッドフェムトアクセスポイントは、共同チャネルＨＲＰＤフェムトアクセスポイントおよび専用チャネルＨＲＰＤフェムトアクセスポイントのうちの１つを具備する、請求項３７に記載の装置。
【請求項３９】
前記システム選択データベースは、複数の優先ローミングリスト（ＰＲＬ）レコードを具備する、請求項３３に記載の装置。
【請求項４０】
前記複数のＰＲＬレコードのうちの少なくとも１つは、前記ハイブリッドフェムトアクセスポイントに関する専用のシステム識別子（ＳＩＤ）を具備する、請求項３９に記載の装置。
【請求項４１】
前記複数のＰＲＬレコードのうちの少なくとも１つは、前記ハイブリッドフェムトアクセスポイントに関する割り当てられたネットワーク識別子（ＮＩＤ）を具備する、請求項３９に記載の装置。
【請求項４２】
前記システム選択データベースは、前記ハイブリッドフェムトアクセスポイントに関する割り当てられた登録ゾーンを具備する、請求項３３に記載の装置。
【請求項４３】
前記システム選択データベースは、ＡＴ支援された情報およびネットワークブロードキャストされた情報のうちの少なくとも１つを具備する、請求項３３に記載の装置。
【発明の詳細な説明】
【関連出願の参照】
【０００１】
本特許出願は、２００９年５月１日に出願された「IDLE HANDOFF TO FEMTO CELL OF HIGH RATE PACKET DATA (HRPD) ACCESS TERMINAL BASED ON PREFERRED ROAMING LIST」という名称の米国仮出願61/174,834に基づいて優先権を主張するものであって、当該仮出願は、本願の被譲渡人に譲渡され、参照によって本明細書の全体に明白に組み込まれている。
【技術分野】
【０００２】
本願は、一般に、ワイヤレス通信に関し、より詳細には、フェムトアクセスポイントへハンドオーバーするための方法およびシステムに関する。
【背景技術】
【０００３】
ワイヤレス通信システムは、音声、データ等のような様々なタイプの通信コンテンツを提供するために広く展開されている。これらのシステムは、利用可能なシステムリソース（例えば、帯域幅および送信電力）を共有することによって複数のユーザとの通信をサポートすることができる多元接続システムであり得る。そのような多元接続システムの例は、符号分割多元接続（ＣＤＭＡ：Code Division Multiple Access）システム、時分割多元接続（ＴＤＭＡ：Time Division Multiple Access）システム、周波数分割多元接続（ＦＤＭＡ：Frequency Division Multiple Access）システム、第３世代パートナーシップ・プロジェクト（３ＧＰＰ：3rd Generation Partnership Project）ロングターム・エボリュ−ション（ＬＴＥ：Long Term Evolution）システム、および直交周波数分割多元接続（ＯＦＤＭＡ：Orthogonal Frequency Division Multiple Access）システムを含む。
【０００４】
一般に、ワイヤレス多元接続通信システムは、複数のワイヤレス端末のための通信を同時にサポートすることができる。各端末は、順方向リンクおよび逆方向リンク上の送信を通じて１つまたは複数の基地局と通信する。順方向リンク（またはダウンリンク）は、基地局から端末への通信リンクのことをいい、逆方向リンク（またはアップリンク）は、端末から基地局への通信リンクのことをいう。この通信リンクは、単一入力単一出力、多入力単一出力、または多入力多出力（ＭＩＭＯ）システムを通じて確立されることができる。
【０００５】
ＭＩＭＯシステムは、データ送信のために複数（ＮＴ個）の送信アンテナおよび複数（ＮＲ個）の受信アンテナを用いる。ＮＴ個の送信アンテナおよびＮＲ個の受信アンテナによって形成されるＭＩＭＯチャネルは、ＮＳ個の独立のチャネルへ分解され得る。これはまた、空間チャネルとも呼ばれる。ここで、ＮＳ≦ｍｉｎ｛ＮＴ，ＮＲ｝である。ＮＳ個の独立チャネルの各々は、ある次元に対応する。複数の送信アンテナおよび受信アンテナによって生み出される追加の次元が利用される場合、ＭＩＭＯシステムは、改善されたパフォーマンス（例えば、より高いスループットおよび／またはより大きな信頼性）を提供することができる。
【０００６】
ＭＩＭＯシステムは、時分割複信（ＴＤＤ：time division duplex）システムおよび周波数分割複信（ＦＤＤ：frequency division duplex）システムをサポートする。ＴＤＤシステムでは、順方向リンク送信および逆方向リンク送信は、同じ周波数領域上であるので、相反原理(reciprocity principle)は、逆方向リンクチャネルからの順方向リンクチャネルの推定を可能にする。これは、複数のアンテナがアクセスポイントにおいて利用可能であるときに、アクセスポイントが順方向リンク上で送信ビームフォーミングゲインを得ることを可能にする。
【０００７】
加えて、小さい基地局の新たなクラスが出現した。これは、ユーザの住居内に設置され、既存のブロードバンド・インターネット接続を使用してモバイルユニットに対して室内のワイヤレスカバレッジを提供することができる。そのような基地局は、一般に、フェムトアクセスポイントとして知られているが、また、ホームノードＢ（ＨＮＢ：Home Node B）ユニット、ホーム発展型ノードＢ（ＨｅＮＢ：Home evolved Node B）ユニット、フェムトセル、フェムト基地局（ｆＢＳ：femto Base Station）、基地局、または基地局トランシーバ・システムとも呼ばれうる。通常、フェムトアクセスポイントは、デジタル加入者ライン（ＤＳＬ）、ケーブルインターネット接続、Ｔ１／Ｔ３、または同様のものを通じてインターネットおよびモバイルオペレータのネットワークに結合され、基地トランシーバ局（ＢＴＳ）技術、無線ネットワークコントローラ、およびゲートウェイサポートノード・サービスのような典型的な基地局の機能を提供する。これは、セルラ／モバイルデバイスまたはハンドセットとも呼ばれるアクセス端末（ＡＴ）またはユーザ装置（ＵＥ）が、フェムトアクセスポイントと通信し、ワイヤレスサービスを利用することを可能にする。
【０００８】
多数の無線接続技術（ＲＡＴ）の展開およびモバイル・マルチモードデバイスにおけるこれらの技術に関するサポートにより、複数のタイプのＲＡＴを実装するフェムトアクセスポイントへのハンドオーバーを容易にするニーズが増大している。例えば複数のＲＡＴを実装するフェムトアクセスポイントを含む異種のワイヤレスアクセス環境では、干渉レベルを増大するという望ましくない影響を有することになる、実装されたＲＡＴごとにビーコン信号を追加することなしに、フェムトアクセスポイントへのハンドインを容易にすることが望ましい。
【発明の概要】
【０００９】
以下は、１つまたは複数の実施形態の基本的な理解を提供するためにそのような実施形態の簡略な概要を提供する。この概要は、企図されるすべての実施形態の広範な概要ではなく、また、すべての実施形態の鍵となるまたは重要な要素を識別することを意図したものでもなく、いずれかのまたはすべての実施形態の範囲を説明することを意図したものでもない。その唯一の目的は、後に提供される、より詳細な説明の前置きとして簡略化された形式で１つまたは複数の実施形態のいくつかの概念を提供することである。
【００１０】
１つまたは複数の実施形態およびそれらの対応する開示にしたがって、例えば第１の無線接続技術（ＲＡＴ：radio access technologies）および第２のＲＡＴを含む、複数のＲＡＴを実装するフェムトアクセスポイントへハンドオーバーするための方法に関して様々な態様が説明される。２つ以上のＲＡＴをサポートするフェムトアクセスポイントは、ハイブリッドフェムトアクセスポイントと呼ばれることができる。当該方法は、ハイブリッドフェムトアクセスポイントからパイロットを検出することを伴い得る。該パイロットは、第１のＲＡＴと関連付けられている。当該方法は、検出されたパイロットに基づいて第１のＲＡＴと関連付けられた第１のチャネル上でハイブリッドフェムトアクセスポイントに登録することを伴い得る。当該方法は、システム選択データベースを分析して、ハイブリッドフェムトアクセスポイントの第２のＲＡＴと関連付けられた第２のチャネルを識別することを伴い得る。当該方法は、識別された第２のチャネルへハンドオーバーすることを選択することを伴い得る。
【００１１】
１つの実施形態では、第１のＲＡＴは、１ｘを具備することができ、第２のＲＡＴは、１ｘＥＶ−ＤＯとしても知られている高レートパケットデータ（ＨＲＰＤ）を具備することができる。システム選択データベースを分析するステップは、システム選択優先ローミング（ＳＳＰＲ：System Selection Preferred Roaming）リストとも呼ばれる複数の優先ローミングリスト（ＰＲＬ：Preferred Roaming List）レコードを分析することを具備することができる。例えば、複数のＰＲＬレコードのうちの少なくとも１つは、ハイブリッドフェムトアクセスポイントに関する専用のシステム識別子（ＳＩＤ：System Identifier）を具備することができる。代替的に、または追加的に、複数のＰＲＬレコードのうちの少なくとも１つは、ハイブリッドフェムトアクセスポイントに関する割り当てられたネットワーク識別子（ＮＩＤ：Network Identifier）を具備することができる。例えば、ＳＩＤおよびＮＩＤの両方は、所与のフェムトアクセスポイントを識別するために使用されることができる。加えて、システム選択データベースは、ハイブリッドフェムトアクセスポイントに関する割り当てられた登録ゾーンを具備することができる。
【００１２】
１つまたは複数の実施形態およびこれらの対応する開示にしたがって、第１のＲＡＴおよび第２のＲＡＴを具備する複数のＲＡＴを実装するハイブリッドフェムトアクセスポイントへハンドオーバーするためのデバイスおよび装置に関して様々な態様が説明される。例えば、当該装置は、ハイブリッドフェムトアクセスポイントからパイロットを検出するためのモジュールを含むことができる。ここにおいて、該パイロットは、第１のＲＡＴと関連付けられている。当該装置は、検出されたパイロットに基づいて第１のＲＡＴと関連付けられた第１のチャネル上でハイブリッドフェムトアクセスポイントに登録するためのモジュールを含むことができる。
【００１３】
加えて、当該装置は、システム選択データベースを分析して、ハイブリッドフェムトアクセスポイントの第２のＲＡＴと関連付けられた第２のチャネルを識別するためのモジュールを含むことができる。当該装置は、識別された第２のチャネルへハンドオーバーすることを選択するためのモジュールを含むことができる。
【００１４】
関係する諸態様では、当該装置は、マクロ基地局と関連付けられた初期のチャネル上に留まった状態でパイロットを検出するためのモジュールを含むことができる。代替的に、または追加的に、当該装置は、共同チャネルＨＲＰＤフェムトアクセスポイントおよび専用チャネルＨＲＰＤフェムトアクセスポイントのうちの１つからパイロットを検出するためのモジュールを含むことができる。
【００１５】
前述の目的および関係する目的の達成のために、１つまたは複数の実施形態は、以下で詳細に説明され、特許請求の範囲において特に指摘される特徴を具備する。以下の説明および添付の諸図面は、１つまたは複数の実施形態の特定の例示的な諸態様を詳細に述べる。しかしながら、これらの態様は、さまざまな実施形態の原則が採用されることができるさまざまな方法のほんの数例を示すにすぎず、説明される諸実施形態は、すべてのそのような態様およびそれらの均等物を含むことが意図される。
【図面の簡単な説明】
【００１６】
本開示の特徴、性質、および利点は、諸図面と併せて考慮されるとき、以下で述べられる詳細な説明からより明白になる。ここで、同様の参照文字は、全体を通して同様に識別する。
【図１】図１は、一実施形態による多元接続ワイヤレス通信システムを示す。
【図２】図２は、通信システムのブロック図を示す。
【図３】図３は、例示的なワイヤレス通信システムを示す。
【図４】図４は、ネットワーク環境内のアクセスポイント基地局の配備を可能にするための例示的な通信システムを示す。
【図５】図５は、ワイヤレス通信環境における優先ローミングリストに基づいてフェムトアクセスポイントへのアイドル・ハンドオフを可能にする例示的なシステムを示す。
【図６】図６は、ゾーンベースの登録を欠く、またはワイヤレス通信環境におけるフェムトアクセスポイントに関する１つの登録ゾーンを用いる例示的なシステムを示す。
【図７】図７は、ワイヤレス通信環境におけるフェムトアクセスポイントに関する複数の登録ゾーンを用いる例示的なシステムを示す。
【図８】図８は、ワイヤレス通信環境におけるハンドオーバーを容易にするための例示的な方法を示す。
【図９】図９は、ワイヤレス通信環境におけるハンドオーバーを容易にする例示的な装置を示す。
【図１０】図１０は、ハイブリッドフェムトアクセスポイントへハンドオーバーするための例示的な方法を示す。
【図１１】図１１は、図１０の方法のさらなる態様を示す。
【図１２】図１２は、ハイブリッドフェムトアクセスポイントへハンドオーバーするための例示的な装置を示す。
【図１３】図１３は、図１２の方法のさらなる態様を示す。
【発明の詳細な説明】
【００１７】
本明細書において説明される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどのようなさまざまなワイヤレス通信ネットワークのために使用されることができる。「ネットワーク（networks）」および「システム（systems）」という用語は、しばしば交換可能に使用される。ＣＤＭＡネットワークは、ＵＴＲＡ（Universal Terrestrial Radio Access）、ｃｄｍａ２０００などのような無線技術を実装することができる。ＵＴＲＡは、広帯域ＣＤＭＡ（Ｗ−ＣＤＭＡ）および低チップレート（ＬＣＲ：Low Chip Rate）を含む。ｃｄｍａ２０００は、ＩＳ−２０００、ＩＳ−９５およびＩＳ−８５６標準をカバーする。ＴＤＭＡネットワークは、モバイル通信のためのグローバルシステム（ＧＳＭ（登録商標）：Global System for Mobile Communications）のような無線技術を実装することができる。ＯＦＤＭＡネットワークは、発展型ＵＴＲＡ（Ｅ-ＵＴＲＡ）、ＩＥＥＥ８０２.１１、ＩＥＥＥ８０２.１６、ＩＥＥＥ８０２.２０、フラッシュＯＦＤＭ（登録商標）などのような無線技術を実装することができる。ＵＴＲＡ、Ｅ−ＵＴＲＡ、およびＧＳＭは、ユニバーサルモバイルテレコミュニケーションシステム(ＵＭＴＳ)の一部である。ＬＴＥ（Long Term Evolution）は、Ｅ-ＵＴＲＡを使用するＵＭＴＳの新版である。ＵＴＲＡ、Ｅ-ＵＴＲＡ、ＧＳＭ、ＵＭＴＳ、およびＬＴＥは、「第３世代パートナーシップ・プロジェクト」(３ＧＰＰ)という名称の組織からの文献に記述されている。ｃｄｍａ２０００は、「第３世代パートナーシップ・プロジェクト２」(３ＧＰＰ２)という名称の組織からの文献に記述されている。これらの様々な無線技術および標準は、当業者に知られている。明確にするために、以下では、技術の特定の諸態様がＬＴＥに関して説明され、以下の説明の大部分で、ＬＴＥ用語が使用される。
【００１８】
１つの技術は、シングルキャリア変調および周波数ドメイン等化を利用するシングルキャリア周波数分割多元接続（ＳＣ−ＦＤＭＡ）である。ＳＣ−ＦＤＭＡは、ＯＦＤＭＡシステムのものと同様のパフォーマンスおよび本質的に同じ全体的な複雑性を有する。ＳＣ−ＦＤＭＡ信号は、その固有のシングルキャリア構造ゆえに、より低いピーク対平均電力比（ＰＡＰＲ：peak-to-average power ratio）を有する。ＳＣ−ＦＤＭＡは、特に、より低いＰＡＰＲが送信電力効率の点でモバイル端末に大きな利益をもたらすアップリンク通信において、大きな注目を集めている。これは、現在、３ＧＰＰ  ＬＴＥ（Long Term Evolution）または発展型ＵＴＲＡにおけるアップリンク多元接続方式に関する作業前提である。
【００１９】
図１を参照すると、１つの実施形態による多元接続ワイヤレス通信システムが示されている。アクセスポイント１００（例えば、基地局、発展型ノードＢ（ｅＮＢ）など）は、あるものが１０４および１０６を含み、別のものが１０８および１１０を含み、さらなるものが１１２および１１４を含む、複数のアンテナグループを含む。図１では、２つのアンテナがアンテナグループごとに図示されているが、より多くのまたはより少ないアンテナがアンテナグループごとに利用されることができる。アクセス端末１１６（ＡＴ）は、アンテナ１１２および１１４と通信状態にあり、ここで、アンテナ１１２および１１４は、順方向リンク１２０上でＡＴ１１６へ情報を送信し、逆方向リンク１１８上でＡＴ１１６から情報を受信する。ＡＴ１２２は、アンテナ１０６および１０８と通信状態にあり、ここで、アンテナ１０６および１０８は、順方向リンク１２６上でＡＴ１２２へ情報を送信し、逆方向リンク１２４上でＡＴ１２２から情報を受信する。ＦＤＤシステムでは、通信リンク１１８、１２０、１２４、および１２６は、通信のために異なる周波数を使用することができる。例えば、順方向リンク１２０は、逆方向リンク１１８によって使用される周波数とは異なる周波数を使用することができる。
【００２０】
複数のアンテナの各グループ、および／またはそれらがそこにおいて通信するように設計されたエリアは、しばしば、アクセスポイントのセクタと呼ばれる。実施形態において、複数のアンテナグループは、それぞれ、アクセスポイント１００によってカバーされる複数のエリアの、あるセクタ内の複数のＡＴに対して通信するように設計される。
【００２１】
順方向リンク１２０および１２６上の通信において、アクセスポイント１００の複数の送信アンテナは、異なるＡＴ１１６および１２４のための順方向リンクの信号対雑音比を改善するためにビームフォーミングを利用する。また、そのカバレッジ全体にランダムに散在したＡＴへと送信するためにビームフォーミングを使用するアクセスポイントは、単一のアンテナを通じてすべてのそのＡＴへと送信するアクセスポイントよりも少ない干渉を近隣のセル内のＡＴに対して引き起こす。
【００２２】
アクセスポイントは、複数の端末と通信するために使用される固定局であることができ、また、アクセスポイント、ノードＢ、ｅＮＢ、または他の何らかの用語で呼ばれうる。ＡＴはまた、ユーザ装置（ＵＥ）、ワイヤレス通信デバイス、端末、または同様のものとも呼ばれうる。
【００２３】
図２は、ＭＩＭＯシステム２００における送信機システム２１０（アクセスポイントとしても知られている）および受信機システム２５０（ＡＴとしても知られている）の一実施形態のブロック図である。送信機システム２１０において、いくつかのデータストリームに関するトラフィックデータが、データソース２１２から送信（ＴＸ）データプロセッサ２１４へ提供される。
【００２４】
一実施形態では、各データストリームは、それぞれの送信アンテナ上で送信される。ＴＸデータプロセッサ２１４は、コード化されたデータを提供するために、データストリームごとに、そのデータストリームについて選択された特定のコード化方式に基づいてトラフィックデータをフォーマット、コード化、およびインターリーブする。
【００２５】
各データストリームに関するコード化されたデータは、ＯＦＤＭ技術を使用してパイロットデータとともに多重化されることができる。パイロットデータは、通常、既知の方式で処理される既知のデータパターンであり、チャネル応答を推定するために受信機システムにおいて使用されることができる。各データストリームに関する、多重化されたパイロットおよびコード化されたデータは、次いで、変調シンボルを提供するためにそのデータストリームについて選択された特定の変調方式（例えば、２相位相変調（ＢＰＳＫ：Binary Phase Shift Keying）、４相位相変調（ＱＰＳＫ：Quadrature Phase Shift Keying）、Ｍ値位相変調（Ｍ−ＰＳＫ：M-ary Phase-Shift Keying）、またはマルチレベル直交振幅変調（Ｍ−ＱＡＭ：Multi-Level Quadrature Amplitude Modulation））に基づいて変調される（すなわち、シンボルマップされる）。各データストリームに関するデータレート、コード化、および変調は、プロセッサ２３０によって実行される複数の命令によって決定されることができる。
【００２６】
すべてのデータストリームに関する変調シンボルは、次いで、ＴＸ  ＭＩＭＯプロセッサ２２０に提供され、そのＴＸ  ＭＩＭＯプロセッサ２２０は、変調シンボルを（例えば、ＯＦＤＭのために）さらに処理することができる。ＴＸ  ＭＩＭＯプロセッサ２２０は、次いで、ＮＴ個の変調シンボルストリームをＮＴ個の送信機（ＴＭＴＲ）２２２ａ〜２２２ｔへ提供する。特定の諸実施形態では、ＴＸ  ＭＩＭＯプロセッサ２２０は、複数のビームフォーミング重みを、複数のデータストリームの複数のシンボルへと、およびシンボルがそこから送信されているアンテナへと、適用する。
【００２７】
各送信機２２２は、１つまたは複数のアナログ信号を提供するためにそれぞれのシンボルストリームを受信および処理し、ＭＩＭＯチャネル上の送信に適した変調された信号を提供するためにアナログ信号をさらに調整する（例えば、増幅する、フィルタにかける、およびアップコンバートする）。送信機２２２ａ〜２２２ｔからのＮＴ個の変調された信号は、次いで、ＮＴ個のアンテナ２２４ａ〜２２４ｔからそれぞれ送信される。
【００２８】
受信機システム２５０において、送信された変調された信号は、ＮＲ個のアンテナ２５２ａ〜２５２ｒによって受信され、各アンテナ２５２からの受信された信号は、それぞれの受信機（ＲＣＶＲ）２５４ａ〜２５４ｒへ提供される。各受信機２５４は、それぞれの受信された信号を調整し（例えば、フィルタにかけ、増幅し、およびダウンコンバートし）、調整された信号をデジタル化してサンプルを提供し、それらのサンプルをさらに処理して、対応する「受信された」シンボルストリームを提供する。
【００２９】
ＲＸデータプロセッサ２６０は、次いで、ＮＴ個の「検出された」シンボルストリームを提供するために、特定の受信機処理技術に基づいてＮＲ個の受信機２５４からＮＲ個の受信されたシンボルストリームを受信し、処理する。ＲＸデータプロセッサ２６０は、次いで、データストリームに関するトラフィックデータを回復するために、各検出されたシンボルストリームを復調、逆インターリーブ、および復号する。ＲＸデータプロセッサ２６０によって処理することは、送信機システム２１０においてＴＸ  ＭＩＭＯプロセッサ２２０およびＴＸデータプロセッサ２１４によって実行されるものと相補的である。
【００３０】
プロセッサ２７０は、どのプリコード化マトリクスを使用するかを定期的に決定する。これについては、以下でさらに議論される。プロセッサ２７０は、マトリクスインデックス部分およびランク値部分を具備する逆方向リンクメッセージを作成する。
【００３１】
逆方向リンクメッセージは、通信リンクおよび／または受信されたデータストリームに関する様々なタイプの情報を備えることができる。逆方向リンクメッセージは、次いで、データソース２３６からいくつかのデータストリームに関するトラフィックデータも受信するＴＸデータプロセッサ２３８によって処理され、変調器２８０によって変調され、送信機２５４ａ〜２５４ｒによって調整され、送信機システム２１０へ送信し戻される。
【００３２】
送信機システム２１０において、受信機システム２５０からの変調された信号は、受信機システム２５０によって送信される逆方向リンクメッセージを抽出するために、アンテナ２２４によって受信され、受信機２２２によって調整され、復調器２４０によって復調され、およびＲＸデータプロセッサ２４２によって処理される。プロセッサ２３０は、次いで、ビームフォーミング重みを決定するために、どのプリコード化マトリクスを使用するかを決定し、次いで、抽出されたメッセージを処理する。
【００３３】
図３は、様々な開示された実施形態および態様が実装され得る複数のユーザをサポートするように構成された例示的なワイヤレス通信システム３００を示す。図３に示されるように、一例として、システム３００は、例えば、マクロセル３０２ａ−３０２ｇのような複数のセル３０２のための通信を提供する。ここで、各セルは、対応するアクセスポイント（ＡＰ）304（例えば、ＡＰ３０４ａ−３０４ｇ）によってサービスを提供される。各セルは、１つまたは複数のセクタにさらに分割されることができる。交換的にＵＥまたはモバイル局としても知られている、ＡＴ３０６ａ−３０６ｋを含む様々なＡＴ３０６は、システム全体に分散される。各ＡＴ３０６は、例えば、ＡＴがアクティブであるか否か、およびソフトハンドオフ状態にあるか否かに応じて、所与の時に、順方向リンク（ＦＬ）および／または逆方向リンク（ＲＬ）上で１つまたは複数のＡＰ３０４と通信することができる。ワイヤレス通信システム３００は、大きな地理的領域にわたってサービスを提供することができ、例えば、マクロセル３０２ａ−３０２ｇは、近隣のいくつかのブロックをカバーすることができる。
【００３４】
図４は、ネットワーク環境内のアクセスポイント基地局の配備を可能にするための例示的な通信システム４００を示す。図４に図示されるように、システム４００は、各々が例えば１つもしくは複数のユーザ住居４３０におけるような対応する小さいスケールのネットワーク環境に設置され、関連したならびに他のＡＴ４２０にサービス提供するように構成されている、例えばＨＮＢ４１０のようなフェムトアクセスポイントもしくはホームノードＢユニット（ＨＮＢ）または多元アクセスポイント基地局を含む。各ＨＮＢ４１０は、ＤＳＬルータ（図示されていない）、または代替的にケーブルモデム（図示されていない）を通じて、インターネット４４０およびモバイルオペレータコアネットワーク４５０にさらに結合される。
【００３５】
本明細書において説明される実施形態は、３ＧＰＰの用語を使用するが、それらの実施形態は、３ＧＰＰ（Ｒｅｌ９９、Ｒｅｌ５、Ｒｅｌ６、Ｒｅｌ７）技術、ならびに３ＧＰＰ２（１ｘＲＴＴ、１ｘＥＶ−ＤＯ  Ｒｅｌ０、ＲｅｖＡ、ＲｅｖＢ）技術、および他の既知のおよび関連する技術に適用され得ることが理解されるべきである。本明細書で説明されるそのような実施形態では、ＨＮＢ４１０の所有者は、モバイルオペレータコアネットワーク４５０を通して提供される、例えば、３Ｇモバイルサービスのようなモバイルサービスに加入し、ＡＴ４２０は、マクロセルラ環境および住居の小さいスケールのネットワーク環境の両方において動作することが可能である。したがって、ＨＮＢ４１０は、任意の既存のＡＴ４２０と後方互換性がある。
【００３６】
さらに、マクロセルモバイルネットワーク４５０に加えて、ＡＴ４２０は、所定の数のＨＮＢ４１０、すなわち、ユーザの住居４３０内に存在するＨＮＢ４１０によってサービスを提供されることができ、マクロネットワーク４５０とソフトハンドオーバー状態にあることができない。ＡＴ４２０は、マクロネットワーク４５０またはＨＮＢ４１０のいずれかと通信することができるが、両方と同時に通信することはできない。ＡＴ４２０がＨＮＢ４１０と通信することを許可される限り、ユーザの住居内で、ＡＴ４２０が、関連づけられたＨＮＢ４１０と通信することが望まれる。
【００３７】
ある態様において、論理チャネルは、コントロールチャネルおよびトラフィックチャネルに分類される。論理コントロールチャネルは、システムコントロール情報をブロードキャストするためのＤＬチャネルであるブロードキャストコントロールチャネル（ＢＣＣＨ：Broadcast Control Channel）を具備する。ページングコントロールチャネル（ＰＣＣＨ：Paging Control Channel）は、ページング情報を運ぶＤＬチャネルである。マルチキャストコントロールチャネル（ＭＣＣＨ：Multicast Control Channel）は、マルチメディアブロードキャストおよびマルチキャストサービス（ＭＢＭＳ：Multimedia Broadcast and Multicast Service）スケジューリングならびに１つまたはいくつかのＭＴＣＨに関するコントロール情報を送信するために使用されるポイント・ツー・マルチポイントＤＬチャネルである。一般に、ＲＲＣ接続を確立した後、このチャネルは、ＭＢＭＳ（注：古いＭＣＣＨ＋ＭＳＣＨ）を受信するＡＴによって使用される。専用のコントロールチャネル（ＤＣＣＨ：Dedicated Control Channel）は、専用のコントロール情報を送信するポイント・ツー・ポイント双方向チャネルであり、ＲＲＣ接続を有するＡＴによって使用される。ある態様において、論理トラフィックチャネルは、ユーザ情報を運ぶための、１つのＡＴに専用のポイント・ツー・ポイント双方向チャネルである専用のトラフィックチャネル（ＤＴＣＨ：Dedicated Traffic Channel）を具備する。また、マルチキャストトラフィックチャネル（ＭＴＣＨ：Multicast Traffic Channel）は、トラフィックデータを送信するためのポイント・ツー・マルチポイントＤＬチャネルである。
【００３８】
一態様では、トランスポートチャネルは、ＤＬおよびＵＬに分類される。ＤＬトランスポートチャネルは、セル全体にわたってブロードキャストされ、他のコントロール／トラフィックチャネルのために使用されることができるＰＨＹリソースにマップされる、ブロードキャストチャネル（ＢＣＨ：Broadcast Channel）、ダウンリンク共有データチャネル（ＤＬ−ＳＤＣＨ：Downlink Shared Data Channel）およびページングチャネル（ＰＣＨ：Paging Channel）を具備し、該ＰＣＨは、ＡＴ電力セーブのサポートのためのものである（ＤＲＸサイクルは、ＡＴへのネットワークによって示される）。ＵＬトランスポートチャネルは、ランダムアクセスチャネル（ＲＡＣＨ：Random Access Channel）、要求チャネル（ＲＥＱＣＨ：Request Channel）、アップリンク共有データチャネル（ＵＬ−ＳＤＣＨ：Uplink Shared Data Channel）、および複数のＰＨＹチャネルを具備する。ＰＨＹチャネルは、１セットのＤＬチャネルおよびＵＬチャネルを具備する。
【００３９】
ＤＬ  ＰＨＹチャネルは、以下を具備する。
【００４０】
共通パイロットチャネル（ＣＰＩＣＨ：Common Pilot Channel）
同期チャネル（ＳＣＨ：Synchronization Channel）
共通コントロールチャネル（ＣＣＣＨ：Common Control Channel）
共有ＤＬコントロールチャネル（ＳＤＣＣＨ：Shared DL Control Channel）
マルチキャストコントロールチャネル（ＭＣＣＨ：Multicast Control Channel）
共有ＵＬ割り当てチャネル（ＳＵＡＣＨ：Shared UL Assignment Channel）
アクノレッジメントチャネル（ＡＣＫＣＨ：Acknowledgement Channel）
ＤＬ物理的共有データチャネル（ＤＬ−ＰＳＤＣＨ：DL Physical Shared Data Channel）
ＵＬ電力コントロールチャネル（ＵＰＣＣＨ：UL Power Control Channel）
ページング・インジケータ・チャネル（ＰＩＣＨ：Paging Indicator Channel）
ロードインジケータ・チャネル（ＬＩＣＨ：Load Indicator Channel）
ＵＬ  ＰＨＹチャネルは、以下を具備する。
【００４１】
物理的ランダムアクセスチャネル（ＰＲＡＣＨ：Physical Random Access Channel）
チャネル品質インジケータ・チャネル（ＣＱＩＣＨ：Channel Quality Indicator Channel）
アクノレッジメントチャネル（ＡＣＫＣＨ：Acknowledgement Channel）
アンテナ・サブセット・インジケータ・チャネル（ＡＳＩＣＨ：Antenna Subset Indicator Channel）
共有要求チャネル（ＳＲＥＱＣＨ：Shared Request Channel）
ＵＬ物理的共有データチャネル（ＵＬ−ＰＳＤＣＨ：UL Physical Shared Data Channel）
ブロードバンド・パイロット・チャネル（ＢＰＩＣＨ：Broadband Pilot Channel）
一態様では、シングルキャリア波形の低いＰＡＲ（どの時点でも、チャネルは、周波数において隣接するまたは一様に離隔される）プロパティを維持するチャネル構造が提供される。
【００４２】
本明細書の目的のために、以下の略記が適用される。
【００４３】
ＡＭ（Acknowledged Mode）：アクノレッジモード
ＡＭＤ（Acknowledged Mode Data）：アクノレッジモードデータ
ＡＲＱ（Automatic Repeat Request）：自動再送要求
ＢＣＣＨ（Broadcast Control CHannel）：ブロードキャストコントロールチャネル
ＢＣＨ（Broadcast CHannel）：ブロードキャストチャネル
Ｃ−（Control-）：コントロール−
ＣＣＣＨ（Common Control CHannel）：共通コントロールチャネル
ＣＣＨ（Control CHannel）：コントロールチャネル
ＣＣＴｒＣＨ（Coded Composite Transport Channel）：コード化された複合トランスポートチャネル
ＣＰ（Cyclic Prefix）：サイクリックプリフィックス
ＣＲＣ（Cyclic Redundancy Check）：サイクリック冗長検査
ＣＴＣＨ（Common Traffic CHannel）：共通トラフィックチャネル
ＤＣＣＨ（Dedicated Control CHannel）：専用コントロールチャネル
ＤＣＨ（Dedicated CHannel）：専用チャネル
ＤＬ（DownLink）：ダウンリンク
ＤＳＣＨ（Downlink Shared CHannel）：ダウンリンク共有チャネル
ＤＴＣＨ（Dedicated Traffic CHannel）：専用トラフィックチャネル
ＦＡＣＨ（Forward link Access CHannel）：順方向リンクアクセスチャネル
ＦＤＤ（Frequency Division Duplex）：周波数分割複信
Ｌ１（Layer 1）：層１（物理層）
Ｌ２（Layer 2）：層２（データリンク層）
Ｌ３（Layer 3）層３（ネットワーク層）
ＬＩ（Length Indicator）：長さインジケータ
ＬＳＢ（Least Significant Bit）：最下位ビット
ＭＡＣ（Medium Access Control）：媒体アクセスコントロール
ＭＢＭＳ（Multimedia Broadcast Multicast Service）：マルチメディア・ブロードキャスト・マルチキャスト・サービス
ＭＣＣＨ（MBMS point-to-multipoint Control CHannel）：MBMSポイント・ツー・マルチポイントコントロールチャネル
ＭＲＷ（Move Receiving Window）：移動受信ウィンドウ
ＭＳＢ（Most Significant Bit）：最上位ビット
ＭＳＣＨ（MBMS point-to-multipoint Scheduling CHannel）：ＭＢＭＳポイント・ツー・マルチポイント・スケジューリング・チャネル
ＭＴＣＨ（MBMS point-to-multipoint Traffic CHannel）：ＭＢＭＳポイント・ツー・マルチポイント・トラフィックチャネル
ＰＣＣＨ（Paging Control CHannel）：ページングコントロールチャネル
ＰＣＨ（Paging CHannel）：ページングチャネル
ＰＤＵ（Protocol Data Unit）：プロトコルデータユニット
ＰＨＹ（PHYsical layer）：物理層
ＰｈｙＣＨ（Physical CHannels）：物理チャネル
ＲＡＣＨ（Random Access CHannel）：ランダムアクセスチャネル
ＲＬＣ（Radio Link Control）：無線リンクコントロール
ＲＲＣ（Radio Resource Control）：無線リソースコントロール
ＳＡＰ（Service Access Point）：サービスアクセスポイント
ＳＤＵ（Service Data Unit）：サービスデータユニット
ＳＨＣＣＨ（SHared channel Control CHannel）：共有チャネル・コントロールチャネル
ＳＮ（Sequence Number）：シーケンス番号
ＳＵＦＩ（SUper FIeld）：スーパーフィールド
ＴＣＨ（Traffic CHannel）：トラフィックチャネル
ＴＤＤ（Time Division Duplex）：時分割複信
ＴＦＩ（Transport Format Indicator）：トランスポート・フォーマット・インジケータ
ＴＭ（Transparent Mode）：トランスペアレントモード
ＴＭＤ（Transparent Mode Data）：トランスペアレントモードデータ
ＴＴＩ（Transmission Time Interval）：送信時間インターバル
Ｕ−（User-）：ユーザ−
ＵＥ（User Equipment）：ユーザ装置
ＵＬ（UpLink）：アップリンク
ＵＭ（Unacknowledged Mode）：アンアクノレッジモード
ＵＭＤ（Unacknowledged Mode Data）：アンアクノレッジモードデータ
ＵＭＴＳ（Universal Mobile Telecommunications System）：ユニバーサルモバイルテレコミュニケーションシステム
ＵＴＲＡ（UMTS Terrestrial Radio Access）：ＵＭＴＳ全地球無線接続
ＵＴＲＡＮ（UMTS Terrestrial Radio Access Network）：ＵＭＴＳ全地球無線接続ネットワーク
ＭＢＳＦＮ（Multicast Broadcast Single Frequency Network）：マルチキャスト・ブロードキャスト単一周波数ネットワーク
ＭＣＥ（MBMS Coordinating Entity）：ＭＢＭＳ調整エンティティ
ＭＣＨ（Multicast Channel）：マルチキャストチャネル
ＤＬ−ＳＣＨ（Downlink Shared Channel）：ダウンリンク共有チャネル
ＭＳＣＨ（MBMS Control Channel）：ＭＢＭＳコントロールチャネル
ＰＤＣＣＨ（Physical Downlink Control Channel）：物理的ダウンリンクコントロールチャネル
ＰＤＳＣＨ（Physical Downlink Shared Channel）：物理的ダウンリンク共有チャネル
図５は、ワイヤレス通信環境における、例えば、優先ローミングリスト（ＰＲＬ：Preferred Roaming List）または同様のもののようなシステム選択データベース（例えば、ＡＴ支援された情報およびネットワークブロードキャストされた情報）に基づいてフェムトアクセスポイントへのアイドル・ハンドオフを可能にする例示的なシステム５００を示す。システム５００は、情報、信号、データ、命令、コマンド、ビット、シンボル、および同様のものを送信および／または受信することができるＡＴ５０２を含むことができる。ＡＴ５０２は、順方向リンクおよび／または逆方向リンクを通じてマクロ基地局５０４、５０５と通信することができる。マクロ基地局５０４、５０５は、情報、信号、データ、命令、コマンド、ビット、シンボル、および同様のものを送信および／または受信することができる。関連する諸態様では、マクロ基地局５０４は、図５ではＲＡＴ−１と呼ばれる、第１のタイプの無線接続技術（ＲＡＴ）を具備する。ＡＴ５０２とマクロ基地局５０４との間のＲＡＴ−１通信は、チャネル１−１上である。関連するさらなる諸態様では、マクロ基地局５０５は、ＲＡＴ−２と呼ばれる第２のタイプのＲＡＴを具備する。ＡＴ５０２とマクロ基地局５０５との間のＲＡＴ−２通信は、チャネル２−１上である。
【００４４】
さらに、ＡＴ５０２は、順方向リンクおよび／または逆方向リンクを通じてフェムトアクセスポイント５０６と通信することができる。フェムトアクセスポイント５０６は、例えば、ＲＡＴ−１およびＲＡＴ−２のような複数のＲＡＴを実装することができる。例えば、ＲＡＴ−１は、１ｘ、ＧＳＭなどを具備することができ、一方、ＲＡＴ−２は、高レートパケットデータ（ＨＲＰＤ：High Rate Packet Data）、ＬＴＥなどを具備することができる。そのようなフェムトアクセスポイント５０６は、ハイブリッドフェムトアクセスポイントと呼ばれることができる。ＡＴ５０２とフェムトアクセスポイント５０６との間のＲＡＴ−１通信は、チャネル１−２上である。ＡＴ５０２とフェムトアクセスポイント５０６との間のＲＡＴ−２通信は、チャネル２−２上である。
【００４５】
さらに、図示されていないが、ＡＴ５０２に類似した任意の数のＡＴ、マクロ基地局５０４および５０５に類似した任意の数のマクロ基地局、および／またはフェムトアクセスポイント５０６に類似した任意の数のフェムトアクセスポイントがシステム５００に含まれることができることが企図される。さらに、本明細書における３ＧＰＰ２の用語（例えば、ＰＲＬ、１ｘ、ＨＲＰＤ、システム識別子、ネットワーク識別子）の使用は、例示を目的としたものにすぎず、本明細書において説明される技術および方法はまた３ＧＰＰおよび関連技術にも適用可能であることに留意されたい。
【００４６】
例示的な一実施形態では、フェムトアクセスポイント５０６は、それへのＡＴ５０２のハンドオフをトリガする、ハイブリッド１ｘ／ＨＲＰＤフェムトアクセスポイントを具備する。例えば、ＡＴ５０２がフェムトアクセスポイント５０６と関連付けられたカバレッジエリア内に位置するときには、フェムトアクセスポイント５０６は、ＡＴ５０２がフェムトアクセスポイント５０６へ（例えば、マクロ基地局５０４または類似の基地局から）ハンドオフすることをトリガすることができる。以下で説明される現行の方法は、１ｘおよびＨＲＰＤハンドオフをしばしば別々に実行し、様々な欠陥をもたらし得る。
【００４７】
フェムトアクセスポイントへのハンドオフに関する現行の方法に関して、ＡＴによるフェムトセルの発見の問題に対処するための３つのカテゴリーの技術がある。第１のカテゴリーは、レガシー（フェムトを知らない）ＡＴによるフェムトアクセスポイントの発見を容易にするのにより適している、ビーコンに関わる。第２のカテゴリーは、フェムトを知っているＡＴにより適している、優先ユーザゾーンリスト（ＰＵＺＬ：Preferred User Zone Lists）に関わる。第３のカテゴリーは、フェムトを知っているＡＴがフェムトアクセスポイントを発見するのを支援するのに適している、アクセスポイント識別メッセージ（ＡＰＩＤＭ：Access Point Identification message）のような新しいメッセージに関わる。
【００４８】
フェムトアクセスポイントの発見のためのビーコンの現行の使用に関して、フェムト動作周波数が近隣のマクロセル周波数と異なるときには、フェムトアクセスポイントは、アイドルまたはアクティブ・レガシーモバイルへその存在を通知（advertise）するために１つまたは複数のマクロセル周波数上でビーコン（すなわち、パイロットと、いくつかのオーバーヘッドチャネル）を発することができる。例えば、１ｘビーコンは、標準のパイロット、ページング、および同期チャネルを含み、一方、ＨＲＰＤビーコンは、パイロット、ＭＡＣおよびコントロールチャネルを含む。ルーチン・アイドルモード・イントラ周波数パイロットサーチの一部としてマクロパイロットよりも強いビーコンパイロットを検出すると、ＡＴは、ビーコンへのアイドル・ハンドオフを実行し、そのオーバーヘッドメッセージを読み出す。
【００４９】
例えば、現行のビーコン技術は、１ｘ／ＨＲＰＤフェムトアクセスポイントがマクロＨＲＰＤチャネル上でＨＲＰＤビーコンを送信するためのものであり得る。しかしながら、１ｘに加えてＨＲＰＤ上でビーコンをホッピングすることは、フェムトアクセスポイントに対して複雑さおよびコストを増大させるので、そのようなビーコンの送信は、ＨＲＰＤには好ましくない場合がある。さらに、ＨＲＰＤチャネル数が多くなり、したがって、最善の場合でも、効果的なビーコン設計を困難にしうる。さらに、追加的な干渉がＨＲＰＤビーコンによって生み出されうる。さらに、２つのビーコンで一貫した動作を保証することに関係した難しさが、異なる技術の展開により生じうる。さらに、前述のものは、レガシーＡＴとともに動作することができない。
【００５０】
フェムトアクセスポイントの発見のためのＰＵＺＬまたは同様のものの現行の使用に関して、ＰＵＺＬは、基本的に、ＡＴ内に存在するデータベースであり、ＡＴが特定のＡＰ基地局をサーチおよび見つけ出すことができるマクロネットワーク内の複数のユーザゾーンのリストを定義する。各ユーザゾーンは、フェムトアクセスポイントの周りのマクロネットワークの地理的（ＧＥＯ）情報（例えば、緯度および経度）および／またはＲＦカバレッジ特徴を使用して定義されることができる。
【００５１】
例えば、フェムトアクセスポイントの発見のためのＡＰＩＤＭのようなメッセージの使用に関して、これらのメッセージは、フェムトアクセスポイントの固有の識別子、アクティブコールハンドインに関するハンドオフ補助情報、位置情報、およびアクセスコントロール関連タイプ（制限された／オープン／シグナリング）を搬送するブロードキャストオーバーヘッドメッセージであり得る。これはまた、他の無線インターフェースの発見を支援するために相補的なエアインターフェース（air-interface）情報を含む、例えば、１ｘ  ＡＰＩＤＭはまた、ハイブリッド１ｘ／ＨＲＰＤフェムトアクセスポイントのＰＮ情報およびＨＲＰＤチャネルを含む。
【００５２】
現在、ＡＴは、ハイブリッドモードにある間、以下の動作と関連付けられることができる。ＡＴは、単一の送信／受信（ＴＸ／ＲＸ）を有することができる。さらに、ＡＴは、ＨＲＰＤ上に留まっているときには、周期的に１ｘシステムをモニタするよう切り替わることができる。ＨＲＰＤのためのページングサイクルは、オーバーラップを回避するために１ｘスロットサイクルインデックス（ＳＣＩ：Slot Cycle Index）オペレーションに基づいて選ばれることができる。オーバーラップが生じる場合、１ｘが好しいものとなりうる。さらに、ＨＲＰＤ上のトラフィックにあるときには、ＡＴは、ハイブリッド・オペレーションの間に１ｘシステムをモニタすることを進める前に、データレートコントロール（ＤＲＣ：Data Rate Control）ランプダウンを実行することができる。
【００５３】
さらに、ＡＴは、同時ハイブリッドデュアル受信機（ＳＨＤＲ：Simultaneous Hybrid Dual Receiver）モードで動作することができる。したがって、ＡＴは、シングルＴＸおよびデュアルＲＸを有することができる。ＨＲＰＤ上のトラフィックにあるときには、ＡＴは、ＨＲＰＤシステム上の受信ダイバーシティ・オペレーションを失い、１ｘページをモニタするためにセカンダリ・チェーンを使用し得る。通常のＳＨＤＲの場合、ＡＴは、２つのページングサイクルにとってオーバーラップしないよう選ばれた構成でＨＲＰＤおよび１ｘページの両方を読み出すためにプライマリ・チェーンを使用することができる。さらに、フルタイムＳＨＤＲの場合、ＡＴは、ＨＲＰＤページをモニタするためにプライマリ・チェーンを、１ｘページをモニタするためにセカンダリ・チェーンを使用し得る。
【００５４】
本明細書において説明された諸実施形態の諸態様によれば、第２のＲＡＴのためにビーコンを追加する必要なしにハイブリッドフェムトアクセスポイント（第１のＲＡＴおよび第２のＲＡＴを具備する複数のＲＡＴをサポートする）に関するアイドル・ハンドインをサポートするシステムが提供される。図５の実施形態に関して、ＲＡＴ−１の場合、ハイブリッドフェムトアクセスポイント５０６は、ＡＴ５０２がハイブリッドフェムトアクセスポイント５０６を検出することを助けるためにチャネル１−２上でビーコンを送信することができる。ＲＡＴ−２と関連付けられたチャネル（１つまたは複数）に関する情報を、ＡＴ５０２上のシステム選択データベース（例えば、優先ローミングリスト５１０または同様のもの）に提供することは、チャネル２−２上でビーコンを送信するためにハイブリッドフェムトアクセスポイント５０６に頼ることを回避する。
【００５５】
例えば、１つの実施形態において、ハイブリッドフェムトアクセスポイント５０６は、ハイブリッド１ｘ／ＨＲＰＤフェムトアクセスポイントを具備する。優先ローミングリスト５１０は、ＨＲＰＤアイドル・ハンドインをサポートするように構成されることができ、それは、汎用であり、加入者ごとに固有のものでないことができる。より一般的には、システム５００は、第１のＲＡＴ（例えば、１ｘ）および第２のＲＡＴ（例えば、ＨＲＰＤ）を実装するハイブリッドフェムトアクセスポイントのためのアイドル・ハンドインをサポートすることができる。１ｘおよびＨＲＰＤハンドオフは、別々に実行されることができる。さらに、フェムトアクセスポイント５０６のＨＲＰＤキャリアがマクロ基地局５０５（例えば、チャネル２−１）とは異なるチャネル（例えば、チャネル２−２）上にある場合、ＡＴ５０２は、ＡＴ５０２がフェムトアクセスポイント５０６に近いときには、フェムトアクセスポイント５０６上に留まるように検出および移動することができる。
【００５６】
ＡＴ５０２は、ハンドオーバーコンポーネント５０８およびＰＲＬ５１０を含むことができる。ハンドオーバーコンポーネント５０８は、（例えば、マクロ基地局５０４または同様のものから）ハイブリッド１ｘ／ＨＲＰＤフェムトアクセスポイント５０６へのハンドインを可能にすることができる。さらに、ＰＲＬ５１０は、ＡＴ５０２のメモリ（図示されていない）内に保持されることができる。ＰＲＬ５１０は、ＡＴ５０２が同じフェムトアクセスポイント５０６について１ｘパイロットを見つけ出した後、フェムトアクセスポイント５０６のＨＲＰＤパイロットを発見するようＡＴ５０２をトリガするために設けられることができる。
【００５７】
ハンドオーバーコンポーネント５０８によってハンドインをトリガするためにＰＲＬ５１０を活用することによって、様々な利点がもたらされる。例えば、システム５００によってもたらされる解決策は、ＨＲＰＤビーコンを送信するためにフェムトアクセスポイント５０６を必要とせず、それによって、フェムトアクセスポイント５０６のコストおよび複雑性を低減する。さらに、ＰＲＬ５１０の使用は、既存のレガシーハンドセット（例えば、ＡＴ５０２または同様のもの）により活用されることができる。さらに、ＰＲＬ５１０構成は、全システム的であることができ、ユーザごとおよび／またはフェムトセルごとの構成を必ずしも必要としない。
【００５８】
本明細書における１ｘおよびＨＲＰＤをサポートするハイブリッドフェムトアクセスポイントの説明は、単なる例示にすぎず、ハイブリッドフェムトアクセスポイントは、他のＲＡＴをサポートできることに留意されたい。例えば、所与のワイヤレス通信システムは、第１のＲＡＴ（例えば、ＧＳＭまたは同様のもの）ならびに第２のＲＡＴ（例えば、ＬＴＥまたは同様のもの）をサポートするハイブリッドフェムトアクセスポイントを含み得る。代替的に、または追加的に、ハイブリッドフェムトアクセスポイントは、第３のＲＡＴ、第４のＲＡＴなどをサポートすることもできる。本明細書において説明された技術は、ＧＳＭと関連付けられたパイロットを送信するＧＳＭ／ＬＴＥフェムトアクセスポイントを活用することができる。ＧＳＭ／ＬＴＥフェムトアクセスポイントのカバレッジエリア内の所与のＡＴは、ＧＳＭパイロットを検出することができ、検出されたＧＳＭパイロットに基づいて、ＧＳＭと関連付けられた第１のチャネル上でＧＳＭ／ＬＴＥフェムトアクセスポイントに登録することができる。ＧＳＭおよびＨＲＰＤハンドオフは、別々に実行されることができる。以下でさらに詳細に説明されるように、所与のＡＴは、システム選択データベースを分析して、第２のＲＡＴ（例えば、ＬＴＥ、ＨＲＰＤなど）に関連付けられた第２のチャネルを識別することができ、識別された第２のチャネルへハンドオーバーすることを選択することができる。
【００５９】
ハイブリッドフェムトアクセスポイント上で実装される複数のＲＡＴのうちの少なくとも１つは、ＡＴがビーコンなしで残りのＲＡＴを見つけ出すのを助けるためのアンカーの役割を果たすことができることに留意されたい。そのようなビーコンの代わりに、例えば、１ｘ、ＧＳＭなどのようなアンカー上の、ＡＴ支援された情報、またはネットワークブロードキャストされた情報。
【００６０】
１ｘ／ＨＲＰＤ  ＡＴ５０２は、例えば、ＰＲＬ５１０のようなシステム選択データベースまたはリストを用いることによってシステム選択を用いることができる。各１ｘシステムレコードについて、好ましいＨＲＰＤサブネットのリストが存在し得る。ＰＲＬ５１０内の（サブネットＩＤを得るための）サブネットマスクは、オーバーヘッドセクタパラメータメッセージ内のものよりも短いものでありうる。これは、複数のＨＲＰＤアクセスノード（ＡＮ）がＰＲＬ５１０における同じエントリーの下でリストされることを可能にすることができる。さらに、同じ選好（ワイルドカードネットワーク識別子（ＮＩＤ）をともなうシステム識別子（ＳＩＤ））によりリストされるときでも、１ｘシステム（マクロおよびフェムト）は、リダイレクションを通じてフェムト１ｘを見つけ出すことを可能にすることができる。例えば、リダイレクションの後、ＡＴ５０２は、リダイレクトされたチャネル上にとどまることができる。しかしながら、これは、ＨＲＰＤに関しては頼られることができない。さらに、システムスキャンの間、ＡＴ５０２は、次の条件のうちの１つの条件下で新しいＨＲＰＤキャリアに切り替わることができる：１）関連付けられたＨＲＰＤサブネットＩＤは、ＰＲＬ５１０におけるより高い優先度でリストされる；および／または２）関連付けられたシステム記述は、現行のシステム記述よりも具体的な（例えば、制限的な）システム記述である。
【００６１】
以下は、アイドル・ハンドインシナリオの様々な例である。ただし、特許請求の範囲は、以下のシナリオ例だけに限定されないことが認識されるべきである。
【００６２】
フェムトアクセスポイント５０６は、共同チャネルＨＲＰＤフェムトであることができる。アイドルＡＴ５０２がフェムトカバレッジの近傍にあるときには、フェムトアクセスポイント５０６からの強いＨＲＰＤパイロットは、QuickConfigおよびセクタパラメータメッセージを復号するようにＡＴ５０２をトリガすることができる。フェムトアクセスポイント５０６からのサブネットが、マクロ基地局５０４からのサブネットとは異なることがわかったら、ＡＴ５０２（例えば、ハンドオーバーコンポーネント５０８または同様のもの）は、フェムトアクセスポイント５０６へとハンドインをトリガするためのＵＡＴＩ要求を送ることができる。これは、ＨＲＰＤハンドインプロセスが１ｘハンドインプロセスとは独立したものであることができるので、１ｘ登録の前か後のいずれかであり得る。さらに、フェムトアクセスポイント５０６についてのＨＲＰＤサブネットは、より良いＨＲＰＤシステムに関するインター周波数サーチを回避するためにＰＲＬ５１０においてマクロＨＲＰＤサブネットエントリー内に位置することができる。一例によれば、マクロ基地局５０４についてのＰＲＬ５１０におけるエントリーが1011xxxxxxとしてリストされたサブセットを有する場合、101110xxxxxxに設定されたフェムトアクセスポイントＨＲＰＤサブセットは、フェムトアクセスポイント５０６へハンドオフした後により良いＨＲＰＤシステムサーチをトリガしないが、111111xxxxはトリガする。
【００６３】
他の例によれば、フェムトアクセスポイント５０６は、専用チャネルＨＲＰＤフェムトであることができる。ＡＴ５０２がフェムトカバレッジの近傍にあるときには、１ｘビーコンは、１ｘ上でフェムト基地局５０６に登録するようにＡＴ５０２をトリガすることができる。ＰＲＬ５１０に基づくと、フェムトアクセスポイント５０６上で１ｘシステムにより良くマッチするエントリーが存在しうる。したがって、（例えば、フェムト固有の獲得レコードまたはより良いシステムの再選択または同様のものによって）インター周波数スキャンが起こるときには、ＡＴ５０２は、そのサブセットが最も好ましいエントリーにマッチするように、フェムト周波数にそのＨＲＰＤ周波数を再選択することができる。したがって、ＰＲＬ５１０は、すべての（またはほとんどの）ＡＴについて汎用であり得る。以下は、ＰＲＬ５１０に関する可能な構造の様々な例である。
【００６４】
例示として、ＰＲＬ５１０は、フェムトシステムに関する専用のＳＩＤを活用することができる。フェムトシステム（例えば、フェムトアクセスポイント５０６または同様のもの）は、マクロシステム（例えば、マクロ基地局５０４または同様のもの）と比較して異なるＳＩＤを割り当てられることができる。フェムトシステムは、ＡＴ５０２がマクロ上にあるときに過度のスキャニングを防ぐためにマクロシステムと同じ優先度に関連付けられることができる。さらに、ＮＩＤは、ワイルドカードされることができる。したがって、ＡＴ５０２がフェムトアクセスポイント５０６上で１ｘ登録を実行するとき、ＡＴ５０２は、フェムトアクセスポイントに関するＳＩＤに対応するエントリーがあるので、サブネット（マクロ）よりもサブネット（フェムト）を好み得る。サブネット（フェムト）は、マクロ基地局５０４が当該エントリーにマッチしないようなものであるべきである。一例によれば、サブネット（マクロ）は、1011xxxxであることができ、システム５００におけるすべてのマクロ基地局（例えば、マクロ基地局５０４または同様のものを含む）は、10111xxxxxに設定されたサブネットを有することができる。この例に従うと、サブネット（フェムト）は、10110xxxxxであることができる。前述の例によれば、ＰＲＬ５１０は、以下のエントリーを含むことができる。
【表１】
0005329712.tif 000002
【００６５】
他の例にしたがって、ＰＲＬ５１０は、フェムトシステムについてＮＩＤを用いることができる。フェムトシステム（例えば、フェムトアクセスポイント５０６または同様のもの）は、１つのＮＩＤを割り当てられることができる。このエントリーは、ＡＴ５０２がマクロ上にあるときに過度のスキャニングを防ぐためにマクロネットワーク・エントリーと同じ優先度を有することができる。さらに、ＳＩＤは、フェムトおよびマクロシステムについて同じであることができる。ＡＴ５０２がフェムトアクセスポイント５０６上で１ｘ登録を実行するとき、ＡＴ５０２がフェムトアクセスポイント５０６上でＳＩＤおよびＮＩＤの両方にマッチするエントリーを見つけ出すので、該ＡＴ５０２は、サブネット（マクロ）よりもサブネット（フェムト）を好み得る。したがって、より具体的な記述は、上で述べられたような包括的な記述に優先し得る。さらに、サブネット（マクロ）およびサブネット（フェムト）の設定は、前述の例と類似であることができる。前述の例によれば、ＰＲＬ５１０は、以下のエントリーを含むことができる。
【表２】
0005329712.tif 000003
【００６６】
フェムト固有のＮＩＤの利用は、以下の影響をもたらし得る。ＡＴ５０２が、近隣のフェムトアクセスポイント（例えば、フェムトアクセスポイント５０６または同様のもの）であり得る新しいパイロットへのアイドル・ハンドオフを実行するときに、１ｘ登録を実行するようにＡＴ５０２をトリガするために、近隣の複数のフェムトアクセスポイントは、異なる登録ゾーンを通知し、ゾーンベースの登録を使用することができる。あるいは、フェムトセル・コンバージェンス・サーバ（ＦＣＳ：Femtocell Convergence Server）／モバイル・スイッチング・センター（ＭＳＣ：Mobile Switching Center）が、ＡＴ５０２をページングする必要があるときには、それは、エリア（例えば、同じマクロセル下であり得る）内の同じＮＩＤおよび登録ゾーンをもつすべてのフェムトアクセスポイントをページングすることができる。したがって、登録ゾーン計画／再使用の必要性がない場合がある。さらに、ＡＴ５０２が、フェムトアクセスポイントから同じ登録ゾーンまたは使用されていないゾーンベースの登録をもつフェムトアクセスポイントへ直接移動する場合、それは、登録する必要がなく（例えば、それゆえに、バッテリ寿命をセーブする、ピン・ポン問題を解決するなど）、両方のフェムトアクセスポイントからページを受信することができる。
【００６７】
図６に移ると、ワイヤレス通信環境において複数のフェムトアクセスポイントについて１つの登録ゾーンを用いるまたはゾーンベースの登録を欠くシステム６００の例が示されている。システム６００は、ＭＳＣ／ＦＣＳ６０２および４つのフェムトアクセスポイント（ＦＡＰ）（例えば、ＦＡＰ１  ６０４、ＦＡＰ２  ６０６、ＦＡＰ３  ６０８、およびＦＡＰ４  ６１０）を含むが、特許請求の範囲がこれらに限定されないことが認識されるべきである。
【００６８】
ゾーンベースの登録がないことにより、または各ＦＡＰ６０４−６１０に割り当てられた１つの登録ゾーンにより、ＭＳＣ／ＦＣＳ６０２は、オーバーラップするカバレッジを有し得るエリア内のすべてのＦＡＰ６０４−６１０について１ｘページングを実行することができる。図示されるように、ＦＡＰ１  ６０４、ＦＡＰ２  ６０６、およびＦＡＰ３  ６０８は、オーバーラップするカバレッジを有しうるものであり、ＦＡＰ４  ６１０のカバレッジとは離れたものでありうる。したがって、ＭＳＣ／ＦＣＳ６０２は、（例えば、これらのＦＡＰ６０４−６０８は、オーバーラップしており、同じＮＩＤまたは類似の識別子を有するので）ページＦＡＰ１  ６０４、ＦＡＰ２  ６０６、およびＦＡＰ３  ６０８を一緒に送信することができる。
【００６９】
ここで図７を参照すると、ワイヤレス通信環境においてフェムトアクセスポイントについて複数の登録ゾーンを用いるシステム７００の例が示されている。システム７００は、ＭＳＣ／ＦＣＳ７０２および４つのＦＡＰ（例えば、ＦＡＰ１  ７０４、ＦＡＰ２  ７０６、ＦＡＰ３  ７０８、およびＦＡＰ４  ７１０）を含むが、特許請求の範囲がこれらに限定されないことが認識されるべきである。
【００７０】
登録ゾーンは、ＰＮオフセットが再使用されるのと同じ方法で再使用されることができる。さらに、オーバーラップするカバレッジを有し得る同じ登録ゾーンの２つのＦＡＰはない。さらに、ＭＳＣ／ＦＣＳ７０２は、ＡＴが最後に登録されたＦＡＰに向けられた１ｘページを送信することができる。図示されるように、ＭＳＣ／ＦＣＳ７０２は、ＦＡＰ７０４にページを送信することができる。
【００７１】
再び図５に移って、本明細書において説明された技術がＰＲＬ５１０のサイズに与える影響が考察される。ＨＲＰＤシステムの行エントリーの最大サイズは、２３バイトであることができ、１ｘ行エントリーについては、（固有のＮＩＤをともなう）８バイトまたは（ワイルドカードＮＩＤをともなう）６バイトであることができる。現在のＰＲＬがＧ地理的エリア（ＧＥＯ）を有し、新しいエントリーがＧＥＯの各々に追加されると仮定すると、ＰＲＬ５１０におけるシステムレコード部分で必要とされる最大追加メモリは、ＮＩＤアプローチの場合Ｇ＊（２３＋８）バイト、またはＳＩＤアプローチの場合Ｇ＊（２３＋６）バイトであり得る。さらに、（例えば、新しい獲得レコードが必要とされ、フェムトアクセスポイントについて定義される場合）ＰＲＬ５１０の獲得レコード部分に必要とされる追加のメモリは恐らく存在しないだろう。
【００７２】
さらに、専用ＨＲＰＤチャネルフェムトアクセスポイント５０６に関するＡＴ５０２のハンドイン動作は、以下のようになり得る。ＡＴ５０２が１ｘチャネル上にビーコンを見るときには、それは、１ｘフェムトチャネルに向け直されることができる。１ｘおよびＨＲＰＤの両方の上でアイドルのときには、ＡＴ５０２は、１ｘフェムトを獲得することができ、関連付けられたＨＲＰＤシステムを見つけ出すことを進めることができる。ＡＴ５０２がＨＲＰＤに接続される場合、以下のことが達成されることができる。ハイブリッドモードの場合、ＡＴ５０２は、ＨＲＰＤ接続を放棄することができ、ＨＲＰＤについてサービス停止（out-of-service）に入ることができる。ＡＴ５０２は、フェムトアクセスポイント５０６への１ｘ登録を実行した後に、関連付けられたＨＲＰＤシステム（例えば、１ｘフェムトアクセスポイントまたは同様のものと関連付けられている）を続いて獲得することができる。ＳＨＤＲモードの場合、ＡＴ５０２は、１ｘフェムトを獲得し、ＤＲＣランプダウンを実行し、次いで、１ｘフェムトに登録することができる。ＡＴ５０２がスーパービジョンタイマー（例えば、５秒または他の定義された時間期間）内で１ｘ登録を完了した後にマクロＨＲＰＤシステムに戻ることが可能な場合、ＡＴ５０２は、マクロＨＲＰＤシステムに戻ることができる。ＡＴ５０２は、ＨＲＰＤ接続が終了した後、フェムトアクセスポイント５０６上でＨＲＰＤチャネルへ再選択することができる。さらに、ＨＲＰＤシステムに戻るために５秒よりも長くかかる場合、ＡＴ５０２は、ＨＲＰＤ接続を放棄することができ、続いて、フェムト関連ＨＲＰＤシステムを見つけ出すよう試みることができる。
【００７３】
図８を参照すると、ワイヤレス通信環境におけるフェムトセルへのアイドル・ハンドオフに関係する方法が示される。説明を簡単にするために、該方法は、一連の動作として示され説明されるが、いくつかの動作は、１つまたは複数の実施形態によれば、本明細書において示され説明されるのとは異なる順序で、および／または本明細書において示され説明される他の動作と同時に起こり得るので、該方法は、動作の順序によって限定されないことが理解され認識されるべきである。例えば、当業者は、方法が、状態図におけるような、一連の相互に関係のある状態またはイベントとして代替的に表されることができることを理解し認識するだろう。さらに、１つまたは複数の実施形態によれば、方法を実装するために、示された動作すべてが要求され得るわけではない。
【００７４】
図８を参照すると、ワイヤレス通信環境におけるハンドオーバーを容易にする方法８００が示される。８０２において、ハイブリッド１ｘ／ＨＲＰＤフェムトアクセスポイントからの１ｘパイロットは、マクロ基地局と関連付けられた第１のＨＲＰＤチャネル上に留まった状態で検出されることができる。８０４において、１ｘチャネル上でのハイブリッド１ｘ／ＨＲＰＤフェムトアクセスポイントへの登録は、検出された１ｘパイロットに基づいて達成されることができる。８０６において、複数のＰＲＬレコードは、ハイブリッド１ｘ／ＨＲＰＤフェムトアクセスポイントと関連付けられた第２のＨＲＰＤチャネルを識別するために分析されることができる。８０８において、ハイブリッド１ｘ／ＨＲＰＤフェムトアクセスポイントと関連付けられた第２のＨＲＰＤチャネルへとハンドオーバーすることの選択が達成されることができる。
【００７５】
本明細書において説明された諸実施形態の１つまたは複数の態様によれば、ワイヤレス通信環境においてハンドオーバーするためのデバイスおよび装置が提供される。図９を参照すると、通信デバイスとしてまたは通信デバイス内で使用するためのプロセッサもしくは同様のデバイスとして構成されることができる例示的な装置９００が提供される。図示されるように、装置９００は、プロセッサ、ソフトウェア、またはこれらの組み合わせ（例えば、ファームウェア）によって実装される複数の機能を表すことができる複数の機能的ブロックを含むことができる。
【００７６】
示されるように、装置９００は、マクロ基地局と関連付けられた第１のＨＲＰＤチャネル上に留まった状態でハイブリッド１ｘ／ＨＲＰＤフェムトアクセスポイントから１ｘパイロットを検出するための電気的コンポーネントまたはモジュール９０２を具備することができる。装置９００は、検出されたパイロットに基づいて第１のＲＡＴと関連付けられた第１のチャネル上でハイブリッドフェムトアクセスポイントに登録するためのモジュール９０４を具備することができる。装置９００は、システム選択データベースを分析して、ハイブリッドフェムトアクセスポイントの第２のＲＡＴと関連付けられた第２のチャネルを識別するためのモジュール９０６を具備することができる。装置９００は、識別された第２のチャネルへハンドオーバーすることを選択するためのモジュール９０８を具備することができる。
【００７７】
装置９００がプロセッサとしてではなく通信ネットワークエンティティとして構成される場合、該装置９００は、任意で、少なくとも１つのプロセッサを有するプロセッサモジュール９１０を含むことができることに留意する。そのような場合、プロセッサ９１０は、バス９１２または同様の通信結合を通じてモジュール９０２−９０８と有効な通信状態にあることができる。プロセッサ９１０は、電気的コンポーネント９０２−９０８によって実行される複数のプロセスまたは複数の機能の開始およびスケジューリングを達成することができる。
【００７８】
関連する諸態様では、装置９００は、トランシーバモジュール９１４を含むことができる。スタンドアロン型の受信機および／またはスタンドアロン型の送信機が、トランシーバ９１４の代わりにまたはトランシーバ９１４と共に使用されることができる。関係する他の諸態様では、装置９００は、任意で、例えばメモリデバイス／モジュール９１６のような、情報を記憶するためのモジュールを含むことができる。コンピュータ可読媒体またはメモリモジュール９１６は、バス９１２または同様のものを通じて装置９００の他のコンポーネントに動作可能に結合されることができる。メモリモジュール９１６は、モジュール９０２−９０８およびそれらのサブコンポーネントもしくはプロセッサ９１０のプロセスおよび動作、または本明細書において開示された方法を達成するための複数のコンピュータ可読命令およびデータを記憶するように適合されることができる。メモリモジュール９１６は、モジュール９０２−９０８と関連付けられた機能を実行するための複数の命令を保持することができる。メモリ９１６の外側にあるものとして示されているが、モジュール９０２−９０８は、メモリ９１６内に存在することができることが理解されるべきである。
【００７９】
本明細書において説明された諸実施形態の１つまたは複数の態様によれば、フェムトアクセスポイントへアイドル・ハンドインするための方法が提供される。図１０を参照すると、例えば第１のＲＡＴおよび第２のＲＡＴを具備する複数のＲＡＴを実装するハイブリッドフェムトアクセスポイントへのハンドオーバーを容易にする方法１０００が示される。１００２において、ハイブリッドフェムトアクセスポイントからのパイロットが検出されることができ、ここにおいて、ハイブリッドフェムトアクセスポイントは、第１のＲＡＴおよび第２のＲＡＴを実装することができ、パイロットは、第１のＲＡＴと関連付けられる。１００４において、第１のＲＡＴと関連付けられた第１のチャネル上でのハイブリッドフェムトアクセスポイントへの登録が、検出されたパイロットに基づいて達成されることができる。１００６において、システム選択データベースは、ハイブリッドフェムトアクセスポイントの第２のＲＡＴと関連付けられた第２のチャネルを識別するために分析されることができる。１００８において、識別された第２のチャネルへハンドオーバーすることの選択が達成されることができる。
【００８０】
図１１を参照すると、方法１０００は、１０１０において、マクロ基地局と関連付けられた初期のチャネル上に留まった状態でパイロットを検出することを伴うことができる。方法１０００は、１０２０において、共同チャネルＨＲＰＤフェムトアクセスポイントおよび専用チャネルＨＲＰＤフェムトアクセスポイントのうちの１つからパイロットを検出することを伴うことができる。
【００８１】
１つの実施形態において、方法１０００は、１０３０において、複数のＰＲＬレコードを分析することを伴うことができる。１０３２において、ハイブリッドフェムトアクセスポイントに関する専用のＳＩＤは、複数のＰＲＬレコードから検索されることができる。代替的に、または追加的に、１０３４において、ハイブリッドフェムトアクセスポイントに関する割り当てられたＮＩＤが、複数のＰＲＬレコードから検索されることができる。関係する諸態様では、１０４０において、ハイブリッドフェムトアクセスポイントに関する割り当てられた登録ゾーンは、システム選択データベースから検索されることができる。関係する他の諸態様では、システム選択データベースは、ＡＴ支援された情報、ネットワークブロードキャストされた情報、またはこれらの組み合わせを具備することができる。
【００８２】
本明細書において説明された諸実施形態の１つまたは複数の態様によれば、フェムトアクセスポイントへのアイドル・ハンドインのためのデバイスおよび装置が提供される。図１２を参照すると、通信デバイスとしてまたは通信デバイス内で使用するためのプロセッサもしくは同様のデバイスとして構成されることができる例示的な装置１２００が提供される。図示されるように、装置１２００は、プロセッサ、ソフトウェア、またはこれらの組み合わせ（例えば、ファームウェア）によって実装される複数の機能を表すことができる複数の機能的ブロックを含むことができる。
【００８３】
図１２に示されるように、装置１２００は、ハイブリッドフェムトアクセスポイントからパイロットを検出するための電気的コンポーネントまたはモジュール１２０２を具備することができ、ハイブリッドフェムトアクセスポイントは、第１のＲＡＴおよび第２のＲＡＴを具備する複数のＲＡＴを実装し、パイロットは、第１のＲＡＴと関連付けられている。装置１２００は、検出されたパイロットに基づいて第１のＲＡＴと関連付けられた第１のチャネル上でハイブリッドフェムトアクセスポイントに登録するためのモジュール１２０４を具備することができる。装置１２００は、システム選択データベースを分析して、ハイブリッドフェムトアクセスポイントの第２のＲＡＴと関連付けられた第２のチャネルを識別するためのモジュール１２０６を具備することができる。装置１２００は、識別された第２のチャネルへハンドオーバーすることを選択するためのモジュール１２０８を具備することができる。
【００８４】
図１３を参照すると、モジュール１２０２は、マクロ基地局と関連付けられた初期のチャネル上に留まった状態でパイロットを検出するためのモジュール１２１０を具備することができる。代替的に、または追加的に、モジュール１２０２は、共同チャネルＨＲＰＤフェムトアクセスポイントおよび専用チャネルＨＲＰＤフェムトアクセスポイントのうちの１つからパイロットを検出するためのモジュール１２２０を具備することができる。
【００８５】
１つの実施形態において、モジュール１２０６は、複数のＰＲＬレコードを分析するためのモジュール１２３０を具備することができる。モジュール１２３０は、複数のＰＲＬレコードからハイブリッドフェムトアクセスポイントに関する専用のＳＩＤをサーチするためのモジュール１２３２をさらに具備することができる。代替的に、または追加的に、モジュール１２３０は、複数のＰＲＬレコードからハイブリッドフェムトアクセスポイントに関する割り当てられたＮＩＤをサーチするためのモジュール１２３４を具備することができる。関係する諸態様では、装置１２００は、システム選択データベースからハイブリッドフェムトアクセスポイントに関する割り当てられた登録ゾーンをサーチするためのモジュール１２４０を具備することができる。
【００８６】
図１２−１３を参照すると、装置１２００は、該装置１２００がプロセッサではなく通信ネットワークエンティティとして構成される場合、任意で、少なくとも１つのプロセッサを有するプロセッサモジュール１２１０を選択的に含むことができる。そのような場合、プロセッサ１２１０は、バス１２１２または同様の通信結合を通じてモジュール１２０２−１２４０と有効な通信状態にあることができる。プロセッサ１２１０は、電気的コンポーネント１２０２−１２４０によって実行される複数のプロセスまたは複数の機能の開始およびスケジューリングを達成することができる。
【００８７】
関係する諸態様では、装置１２００は、トランシーバモジュール１２１４を含むことができる。スタンドアロン型の受信機および／またはスタンドアロン型の送信機が、トランシーバ１２１４の代わりにまたはトランシーバ１２１４と共に使用されることができる。関係する他の諸態様では、装置１２００は、任意で、例えばメモリデバイス／モジュール１２１６のような、情報を記憶するためのモジュールを含むことができる。コンピュータ可読媒体またはメモリモジュール１２１６は、バス１２１２または同様のものを通じて装置１２００の他のコンポーネントに動作可能に結合されることができる。メモリモジュール１２１６は、モジュール１２０２−１２４０およびそれらのサブコンポーネントもしくはプロセッサ１２１０のプロセスおよび動作、または本明細書において開示された方法を達成するための複数のコンピュータ可読命令およびデータを記憶するように適合されることができる。メモリモジュール１２１６は、モジュール１２０２−１２４０と関連付けられた機能を実行するための複数の命令を保持することができる。メモリ１２１６の外側にあるものとして示されているが、モジュール１２０２−１２４０は、メモリ１２１６内に存在することができることが理解されるべきである。
【００８８】
本明細書において説明された１つまたは複数の態様によれば、ＰＲＬを活用することによってハイブリッド１ｘ／ＨＲＰＤフェムトアクセスポイントへのハンドオフに関して推測がなされることができることが認識されよう。本明細書において使用されるとき、「推測する」または「推測」という語は、一般に、イベントおよび／またはデータを通じて獲得されるような1セットの観察から、システム、環境、および／またはユーザの状態について推理するまたは推測するプロセスを指す。推測は、例えば、特定の状況または行動を識別するために使用されることができ、または状態に関する確率分布を生成することができる。推測は、確率論的なもの、すなわち、データおよびイベントの考察に基づく関心状態に関する確率分布の計算であることができる。推測はまた、1セットのイベントおよび／またはデータからより高いレベルのイベントを構成するために用いられる技術と呼ぶこともできる。そのような推測の結果、イベントが時間的に近接して互いに関連づけられているか否かに関わらず、またイベントおよびデータが単一のイベントおよびデータソースに由来するものか、それとも複数のソースに由来するものかに関わらず、１セットの観察されたイベントおよび／または記憶されたイベントデータから、新しいイベントまたは行動が構築されることになる。
【００８９】
開示されたプロセスにおけるステップの特定の順序または階層は、例示的アプローチの一例であることが理解される。設計上の好みに基づいて、プロセスにおけるステップの特定の順序または階層は、本開示の範囲内にとどまる限り、並び替えられてもよい。添付の方法クレームは、順序の事例における様々なステップの要素を提示しており、提示された特定の順序または階層だけに限定されることを意図するものではない。
【００９０】
当業者は、情報と信号が、様々な異なる技術および技法のうちのいずれかを使用して表されることができることを理解するだろう。例えば、上述の説明の全体を通じて参照されることができるデータ、命令、コマンド、情報、信号、ビット、シンボルおよびチップは、電圧、電流、電磁波、磁場または磁粒子、光波動場または光粒子、もしくはこれらのものの任意の組み合わせによって表わされることができる。
【００９１】
当業者であれば、本明細書に開示されている実施形態に関連して説明されている様々な例示的な論理ブロック、モジュール、回路、およびアルゴリズムステップは、電子的ハードウェア、コンピュータソフトウェアまたは両者の組み合わせとして実装可能であることをさらに認識するであろう。ハードウェアとソフトウェアの間のこの互換性を明白に例証するために、様々な例示的なコンポーネント、ブロック、モジュール、回路、およびステップは、上記においてその機能性の観点から一般的に記述されてきた。そのような機能性がハードウェアとして実装されるか、またはソフトウェアとして実装されるかは、特定のアプリケーション、およびシステム全体に課される設計上の制約に依存する。当業者は、各々の特定のアプリケーションについて、説明されている機能性を異なる方法において実装することができる。しかし、そのような実装決定が本発明の範囲からの逸脱を引き起こすものと解釈されてはならない。
【００９２】
本明細書において開示された実施形態に関係して記述された様々な例示的な論理ブロック、モジュール、および回路は、汎用目的プロセッサ、デジタル信号プロセッサ（DSP）、特定用途集積回路（ASIC）、フィールドプログラマブルゲートアレイ（FPGA）または他のプログラマブル論理デバイス、離散的ゲートまたはトランジスタ論理、離散的ハードウェアコンポーネント、またはこれらのものの任意の組み合わせであって、本明細書に記載の機能を実行するように設計されたものによって実装または実行されることができる。汎用目的プロセッサは、マイクロプロセッサであってもよいが、その代わりに、任意の従来のプロセッサ、コントローラ、マイクロコントローラ、または状態機械であってもよい。プロセッサはまた、コンピュータ計算デバイスの組み合わせ（例えば、DSPとマイクロプロセッサとの組み合わせ、複数のマイクロプロセッサ、DSPコアと結合した１つまたは複数のマイクロプロセッサ、または任意の他のそのような構成）として実装されることもできる。
【００９３】
本明細書において開示された実施形態と関係して説明された方法またはアルゴリズムのステップは、プロセッサによって実行されるハードウェア、ソフトウェアモジュール、またはこれら２つの組み合わせにおいて直接実現されてもよい。ソフトウェアモジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブルディスク、ＣＤ-ＲＯＭ、または当該技術分野において既知の任意の他の形式の記憶媒体の中に存在してもよい。例示的な記憶媒体は、プロセッサが記憶媒体から情報を読み出す、または記憶媒体に情報を書き込むことができるように、プロセッサに結合されていてもよい。その代わりに、記憶媒体がプロセッサと一体化されていてもよい。プロセッサおよび記憶媒体は、ＡＳＩＣの中に存在してもよい。ＡＳＩＣはユーザ端末の中に存在してもよい。代替的に、プロセッサおよび記憶媒体は、ユーザ端末における離散的コンポーネントとして存在してもよい。
【００９４】
開示された実施形態の前述の説明は、どのような当業者も、本開示の発明を製造しまたは使用することができるよう提供されている。これらの実施形態に対する様々な修正は、当業者にとって直ちに明白であろう。また、本明細書において定義された一般原則は、本開示の要旨または範囲から逸脱することなく、他の実施形態に対して適用可能である。したがって、本開示は、本明細書において示された実施形態に限定されるよう意図されているものではなく、本明細書に開示された原則および新規な特徴と一致する最も広い範囲が与えられるべきものである。
以下に、本願の出願当初請求項に記載された発明を付記する。
［１］
下記を具備する、ワイヤレス通信システムにおいて使用される方法：
ハイブリッドフェムトアクセスポイントからパイロットを検出すること、前記ハイブリッドフェムトアクセスポイントは、第１の無線接続技術（ＲＡＴ）および第２のＲＡＴを具備する複数のＲＡＴを実装し、前記パイロットは、前記第１のＲＡＴと関連付けられている；
前記検出されたパイロットに基づいて前記第１のＲＡＴと関連付けられた第１のチャネル上で前記ハイブリッドフェムトアクセスポイントに登録すること；
システム選択データベースを分析して、前記ハイブリッドフェムトアクセスポイントの前記第２のＲＡＴと関連付けられた第２のチャネルを識別すること；および
前記識別された第２のチャネルへハンドオーバーすることを選択すること。
［２］
検出することは、マクロ基地局と関連付けられた初期のチャネル上に留まった状態で前記パイロットを検出することを具備する、上記［１］に記載の方法。
［３］
第１のＲＡＴは、１ｘを具備し、前記第１のチャネルは、１ｘチャネルを具備する、上記［１］に記載の方法。
［４］
前記第２のＲＡＴは、高レートパケットデータ（ＨＲＰＤ）を具備し、前記第２のチャネルは、ＨＲＰＤチャネルを具備する、上記［３］に記載の方法。
［５］
前記ハイブリッドフェムトアクセスポイントは、共同チャネルＨＲＰＤフェムトアクセスポイントおよび専用チャネルＨＲＰＤフェムトアクセスポイントのうちの１つを具備する、上記［４］に記載の方法。
［６］
前記システム選択データベースは、複数の優先ローミングリスト（ＰＲＬ）レコードを具備する、上記［１］に記載の方法。
［７］
前記複数のＰＲＬレコードのうちの少なくとも１つは、前記ハイブリッドフェムトアクセスポイントに関する専用のシステム識別子（ＳＩＤ）を具備する、上記［６］に記載の方法。
［８］
前記複数のＰＲＬレコードのうちの少なくとも１つは、前記ハイブリッドフェムトアクセスポイントに関する割り当てられたネットワーク識別子（ＮＩＤ）を具備する、上記［６］に記載の方法。
［９］
前記システム選択データベースは、前記ハイブリッドフェムトアクセスポイントに関する割り当てられた登録ゾーンを具備する、上記［１］に記載の方法。
［１０］
前記システム選択データベースは、ＡＴ支援された情報およびネットワークブロードキャストされた情報のうちの少なくとも１つを具備する、上記［１］に記載の方法。
［１１］
上記［１］に記載の方法を実行するように構成された電子デバイス。
［１２］
下記を具備する、ワイヤレス通信システムにおいて動作可能な装置：
ハイブリッドフェムトアクセスポイントからパイロットを検出するための手段、前記ハイブリッドフェムトアクセスポイントは、第１の無線アクセス技術（ＲＡＴ）および第２のＲＡＴを具備する複数のＲＡＴを実装し、前記パイロットは、前記第１のＲＡＴと関連付けられている；
前記検出されたパイロットに基づいて前記第１のＲＡＴと関連付けられた第１のチャネル上で前記ハイブリッドフェムトアクセスポイントに登録するための手段；
システム選択データベースを分析して、前記ハイブリッドフェムトアクセスポイントの前記第２のＲＡＴと関連付けられた第２のチャネルを識別するための手段；および
前記識別された第２のチャネルへハンドオーバーすることを選択するための手段。
［１３］
前記装置は、ハイブリッドモードおよび同時ハイブリッドデュアル受信機（ＳＨＤＲ）モードのうちの１つで動作する、上記［１２］に記載の装置。
［１４］
検出するための前記手段は、マクロ基地局と関連付けられた初期のチャネル上に留まった状態で前記パイロットを検出するための手段を具備する、上記［１２］に記載の装置。
［１５］
第１のＲＡＴは、１ｘを具備し、前記第１のチャネルは、１ｘチャネルを具備する、上記［１２］に記載の装置。
［１６］
前記第２のＲＡＴは、高レートパケットデータ（ＨＲＰＤ）を具備し、前記第２のチャネルは、ＨＲＰＤチャネルを具備する、上記［１５］に記載の装置。
［１７］
前記ハイブリッドフェムトアクセスポイントは、共同チャネルＨＲＰＤフェムトアクセスポイントおよび専用チャネルＨＲＰＤフェムトアクセスポイントのうちの１つを具備する、上記［１６］に記載の装置。
［１８］
前記システム選択データベースは、複数の優先ローミングリスト（ＰＲＬ）レコードを具備する、上記［１２］に記載の装置。
［１９］
前記複数のＰＲＬレコードのうちの少なくとも１つは、前記ハイブリッドフェムトアクセスポイントに関する専用のシステム識別子（ＳＩＤ）を具備する、上記［１８］に記載の装置。
［２０］
前記複数のＰＲＬレコードのうちの少なくとも１つは、前記ハイブリッドフェムトアクセスポイントに関する割り当てられたネットワーク識別子（ＮＩＤ）を具備する、上記［１８］に記載の装置。
［２１］
前記システム選択データベースは、前記ハイブリッドフェムトアクセスポイントに関する割り当てられた登録ゾーンを具備する、上記［１２］に記載の装置。
［２２］
前記システム選択データベースは、ＡＴ支援された情報およびネットワークブロードキャストされた情報のうちの少なくとも１つを具備する、上記［１２］に記載の装置。
［２３］
機械可読媒体を具備するコンピュータプログラムプロダクトであって、機械によって実行されたときに、下記を含む複数のオペレーションを前記機械に実行させる複数の命令をさらに具備する、コンピュータプログラムプロダクト：
ハイブリッドフェムトアクセスポイントからパイロットを検出すること、前記ハイブリッドフェムトアクセスポイントは、第１の無線接続技術（ＲＡＴ）および第２のＲＡＴを具備する複数のＲＡＴを実装し、前記パイロットは、前記第１のＲＡＴと関連付けられている；
前記検出されたパイロットに基づいて前記第１のＲＡＴと関連付けられた第１のチャネル上で前記ハイブリッドフェムトアクセスポイントに登録すること；
システム選択データベースを分析して、前記ハイブリッドフェムトアクセスポイントの前記第２のＲＡＴと関連付けられた第２のチャネルを識別すること；および
前記識別された第２のチャネルへハンドオーバーすることを選択すること。
［２４］
検出することは、マクロ基地局と関連付けられた初期のチャネル上に留まった状態で前記パイロットを検出することを具備する、上記［２３］に記載のコンピュータプログラムプロダクト。
［２５］
第１のＲＡＴは、１ｘを具備し、前記第１のチャネルは、１ｘチャネルを具備する、上記［２３］に記載のコンピュータプログラムプロダクト。
［２６］
前記第２のＲＡＴは、高レートパケットデータ（ＨＲＰＤ）を具備し、前記第２のチャネルは、ＨＲＰＤチャネルを具備する、上記［２５］に記載のコンピュータプログラムプロダクト。
［２７］
前記ハイブリッドフェムトアクセスポイントは、共同チャネルＨＲＰＤフェムトアクセスポイントおよび専用チャネルＨＲＰＤフェムトアクセスポイントのうちの１つを具備する、上記［２６］に記載のコンピュータプログラムプロダクト。
［２８］
前記システム選択データベースは、複数の優先ローミングリスト（ＰＲＬ）レコードを具備する、上記［２３］に記載のコンピュータプログラムプロダクト。
［２９］
前記複数のＰＲＬレコードのうちの少なくとも１つは、前記ハイブリッドフェムトアクセスポイントに関する専用のシステム識別子（ＳＩＤ）を具備する、上記［２８］に記載のコンピュータプログラムプロダクト。
［３０］
前記複数のＰＲＬレコードのうちの少なくとも１つは、前記ハイブリッドフェムトアクセスポイントに関する割り当てられたネットワーク識別子（ＮＩＤ）を具備する、上記［２８］に記載のコンピュータプログラムプロダクト。
［３１］
前記システム選択データベースは、前記ハイブリッドフェムトアクセスポイントに関する割り当てられた登録ゾーンを具備する、上記［２３］に記載のコンピュータプログラムプロダクト。
［３２］
前記システム選択データベースは、ＡＴ支援された情報およびネットワークブロードキャストされた情報のうちの少なくとも１つを具備する、上記［２３］に記載のコンピュータプログラムプロダクト。
［３３］
下記を具備する、ワイヤレス通信システムにおいて動作可能な装置：
下記を実行するように構成されたプロセッサ：ハイブリッドフェムトアクセスポイントからパイロットを検出する、前記ハイブリッドフェムトアクセスポイントは、第１の無線接続技術（ＲＡＴ）および第２のＲＡＴを具備する複数のＲＡＴを実装し、前記パイロットは、前記第１のＲＡＴと関連付けられている；前記検出されたパイロットに基づいて前記第１のＲＡＴと関連付けられた第１のチャネル上で前記ハイブリッドアクセスポイントに登録する；システム選択データベースを分析して、前記ハイブリッドフェムトアクセスポイントの前記第２のＲＡＴと関連付けられた第２のチャネルを識別する；および、前記識別された第２のチャネルへハンドオーバーすることを選択する；ならびに
データを記憶するために前記プロセッサに結合されたメモリ。
［３４］
前記装置は、ハイブリッドモードおよび同時ハイブリッドデュアル受信機（ＳＨＤＲ）モードのうちの１つで動作する、上記［３３］に記載の装置。
［３５］
前記プロセッサは、マクロ基地局と関連付けられた初期のチャネル上に留まった状態で前記パイロットを検出する、上記［３３］に記載の装置。
［３６］
第１のＲＡＴは、１ｘを具備し、前記第１のチャネルは、１ｘチャネルを具備する、上記［３３］に記載の装置。
［３７］
前記第２のＲＡＴは、高レートパケットデータ（ＨＲＰＤ）を具備し、前記第２のチャネルは、ＨＲＰＤチャネルを具備する、上記［３６］に記載の装置。
［３８］
前記ハイブリッドフェムトアクセスポイントは、共同チャネルＨＲＰＤフェムトアクセスポイントおよび専用チャネルＨＲＰＤフェムトアクセスポイントのうちの１つを具備する、上記［３７］に記載の装置。
［３９］
前記システム選択データベースは、複数の優先ローミングリスト（ＰＲＬ）レコードを具備する、上記［３３］に記載の装置。
［４０］
前記複数のＰＲＬレコードのうちの少なくとも１つは、前記ハイブリッドフェムトアクセスポイントに関する専用のシステム識別子（ＳＩＤ）を具備する、上記［３９］に記載の装置。
［４１］
前記複数のＰＲＬレコードのうちの少なくとも１つは、前記ハイブリッドフェムトアクセスポイントに関する割り当てられたネットワーク識別子（ＮＩＤ）を具備する、上記［３９］に記載の装置。
［４２］
前記システム選択データベースは、前記ハイブリッドフェムトアクセスポイントに関する割り当てられた登録ゾーンを具備する、上記［３３］に記載の装置。
［４３］
前記システム選択データベースは、ＡＴ支援された情報およびネットワークブロードキャストされた情報のうちの少なくとも１つを具備する、上記［３３］に記載の装置。
【図１】
0005329712.tif 000004
【図２】
0005329712.tif 000005
【図３】
0005329712.tif 000006
【図４】
0005329712.tif 000007
【図５】
0005329712.tif 000008
【図６】
0005329712.tif 000009
【図７】
0005329712.tif 000010
【図８】
0005329712.tif 000011
【図９】
0005329712.tif 000012
【図１０】
0005329712.tif 000013
【図１１】
0005329712.tif 000014
【図１２】
0005329712.tif 000015
【図１３】
0005329712.tif 000016